(57)【特許請求の範囲】
【請求項１】
制御部と記憶部と表示部を少なくとも備えたＢＩＭシステムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
前記ＢＩＭモデル内外の環境に影響を及ぼす環境情報を記憶する環境情報記憶手段と、
を備え、
前記制御部は、
利用者により入力される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、
前記統合モデリング手段により作成された前記統合ＢＩＭモデルを含むレイアウト画面を生成する画面生成手段と、
前記画面生成手段により生成された前記レイアウト画面を前記表示部に表示させる画面表示手段と、
前記画面表示手段により表示された前記レイアウト画面上で、前記環境情報記憶手段に記憶された前記環境情報に基づいて、前記統合ＢＩＭモデルに組み込まれた前記ＢＩＭパーツに対応する前記昇降機の昇降路内の温度環境をシミュレーションする環境解析手段と、
前記環境解析手段によりシミュレーションされた前記昇降路内の前記温度環境が、前記昇降機が正常に動作するための温度条件を満たすか否かを判定する判定手段と、
前記判定手段により前記温度条件を満たさないと判定された場合、前記表示部に警告情報を表示させる警告手段と、
を備えたことを特徴とするＢＩＭシステム。
【請求項２】
前記環境解析手段は、
前記昇降路内の前記温度環境のシミュレーション結果として前記昇降機を構成する部材の温度最大値を算出し、
前記判定手段は、
前記環境解析手段により算出された前記部材の温度最大値と、前記統合ＢＩＭモデルに組み込まれた前記ＢＩＭパーツの前記パーツ情報に含まれる保証温度範囲情報が示す、前記部材が正常に動作する保証温度範囲とを比較し、前記部材の温度最大値が前記保証温度範囲を外れる場合に、前記温度条件を満たさないと判定し、
前記警告手段は、
前記判定手段により前記温度条件を満たさないと判定された場合、前記部材が前記保証温度範囲外で使用される可能性がある旨を示す前記警告情報を前記表示部に表示させることを特徴とする請求項１に記載のＢＩＭシステム。
【請求項３】
前記環境解析手段は、
前記統合ＢＩＭモデルと前記環境情報に基づいて算出される、前記統合ＢＩＭモデルに照射される外光の面積に応じた前記昇降路に入り込む前記外光による熱量に基づいて、前記外光による前記昇降路内の温度上昇値を算出する昇降路内温度上昇値算出手段と、
前記昇降路内温度上昇値算出手段により算出された前記外光による前記昇降路内の温度上昇値と、予め設定された前記昇降路内の温度とに基づいて、前記昇降路内の最大温度を算出する昇降路内最大温度算出手段と、
前記昇降路内最大温度算出手段により算出された前記昇降路内の最大温度と、前記統合ＢＩＭモデルに組み込まれた前記ＢＩＭパーツの前記パーツ情報に含まれる部材発熱量情報が示す、前記昇降機を動作させた際に前記部材から発生する部材発熱量とに基づいて、前記部材の温度最大値を算出する部材温度最大値算出手段と、
を更に備えたことを特徴とする請求項２に記載のＢＩＭシステム。
【請求項４】
前記記憶部は、
前記建築物のＢＩＭモデル内外の環境に影響を及ぼす環境オブジェクトに関するオブジェクト情報を記憶するオブジェクト情報記憶手段、
を更に備え、
前記環境解析手段は、
前記画面表示手段により表示された前記レイアウト画面上で、前記環境情報記憶手段に記憶された前記環境情報に基づいて、前記オブジェクト情報記憶手段に記憶された前記オブジェクト情報が表す前記環境オブジェクトを変化させながら、前記統合ＢＩＭモデルに組み込まれた前記ＢＩＭパーツに対応する前記昇降機の昇降路内の温度環境をシミュレーションすることを特徴とする請求項１から３のうちいずれか一項に記載のＢＩＭシステム。
【請求項５】
前記制御部は、
前記画面表示手段により表示された前記レイアウト画面上で、前記昇降機のＢＩＭパーツの動作をシミュレーションする動作解析手段、
を更に備え、
前記環境解析手段は、
前記画面表示手段により表示された前記レイアウト画面上で、前記動作解析手段により前記昇降機のＢＩＭパーツの動作をシミュレーションしている状態で、前記統合ＢＩＭモデルに組み込まれた前記ＢＩＭパーツに対応する前記昇降機の昇降路内の温度環境をシミュレーションすることを特徴とする請求項１から４のうちいずれか一項に記載のＢＩＭシステム。
【請求項６】
前記制御部は、
前記画面表示手段により表示された前記レイアウト画面上で、前記ＢＩＭモデル、又は、前記ＢＩＭパーツを変更する変更手段、
を更に備え、
前記画面生成手段は、
前記変更手段により変更された前記ＢＩＭモデル、又は、前記ＢＩＭパーツを含む前記レイアウト画面を生成することを特徴とする請求項１から５のうちいずれか一項に記載のＢＩＭシステム。
【請求項７】
制御部と記憶部とを少なくとも備えたサーバ装置、および、表示部を少なくとも備えた端末装置、を通信可能に接続したＢＩＭシステムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
前記ＢＩＭモデル内外の環境に影響を及ぼす環境情報を記憶する環境情報記憶手段と、
を備え、
前記制御部は、
利用者により入力される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、
前記統合モデリング手段により作成された前記統合ＢＩＭモデルを含むレイアウト画面を生成する画面生成手段と、
前記画面生成手段により生成された前記レイアウト画面を前記端末装置へ送信して、当該レイアウト画面を前記端末装置の前記表示部に表示させるように制御する画面表示制御手段と、
前記環境情報記憶手段に記憶された前記環境情報に基づいて、前記統合ＢＩＭモデルに組み込まれた前記ＢＩＭパーツに対応する前記昇降機の昇降路内の温度環境をシミュレーションし、当該シミュレーションの結果が前記端末装置の前記レイアウト画面上で表示されるように、前記画面表示制御手段を制御する環境解析手段と、
前記環境解析手段によりシミュレーションされた前記昇降路内の前記温度環境が、前記昇降機が正常に動作するための温度条件を満たすか否かを判定する判定手段と、
前記判定手段により前記温度条件を満たさないと判定された場合、警告情報が前記端末装置の前記レイアウト画面上で表示されるように、前記画面表示制御手段を制御する警告手段と、
を備えたことを特徴とするＢＩＭシステム。
【請求項８】
制御部と記憶部とを少なくとも備えたサーバ装置、および、制御部と記憶部と表示部とを少なくとも備えた端末装置、を通信可能に接続したＢＩＭシステムにおいて実行される方法であって、
前記サーバ装置の前記記憶部は、
建築物のＢＩＭモデルに組込可能な昇降機のＢＩＭパーツを作成するためのパーツ情報を記憶するパーツ情報記憶手段、
を備え、
前記端末装置の前記記憶部は、
前記ＢＩＭモデルを記憶するＢＩＭモデル記憶手段と、
前記ＢＩＭモデル内外の環境に影響を及ぼす環境情報を記憶する環境情報記憶手段と、
を備え、
前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、
前記サーバ装置の前記制御部において実行される、前記昇降機モデリングステップにて作成された前記ＢＩＭパーツを前記端末装置へ送信する情報提供ステップと、
前記端末装置の前記制御部において実行される、前記情報提供ステップにて前記サーバ装置から送信された前記ＢＩＭパーツを、前記ＢＩＭモデル記憶手段に記憶された前記ＢＩＭモデルに組み込んだ統合ＢＩＭモデルを作成する統合モデリングステップと、
前記端末装置の前記制御部において実行される、前記統合モデリングステップにて作成された前記統合ＢＩＭモデルを含むレイアウト画面を生成する画面生成ステップと、
前記端末装置の前記制御部において実行される、前記画面生成ステップにて生成された前記レイアウト画面を前記表示部に表示させる画面表示ステップと、
前記端末装置の前記制御部において実行される、前記画面表示ステップにて表示された前記レイアウト画面上で、前記環境情報記憶手段に記憶された前記環境情報に基づいて、前記統合ＢＩＭモデルに組み込まれた前記ＢＩＭパーツに対応する前記昇降機の昇降路内の温度環境をシミュレーションする環境解析ステップと、
前記端末装置の前記制御部において実行される、前記環境解析ステップにてシミュレーションされた前記昇降路内の前記温度環境が、前記昇降機が正常に動作するための温度条件を満たすか否かを判定する判定ステップと、
前記端末装置の前記制御部において実行される、前記判定ステップにて前記温度条件を満たさないと判定された場合、前記表示部に警告情報を表示させる警告ステップと、
を含むことを特徴とする方法。
【請求項９】
制御部と記憶部とを少なくとも備えたサーバ装置、および、表示部を少なくとも備えた端末装置、を通信可能に接続したＢＩＭシステムにおいて実行される方法であって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
前記ＢＩＭモデル内外の環境に影響を及ぼす環境情報を記憶する環境情報記憶手段と、
を備え、
前記制御部において実行される、
利用者により入力される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、
前記統合モデリングステップにて作成された前記統合ＢＩＭモデルを含むレイアウト画面を生成する画面生成ステップと、
前記画面生成ステップにて生成された前記レイアウト画面を前記端末装置へ送信して、当該レイアウト画面を前記端末装置の前記表示部に表示させるように制御する画面表示制御ステップと、
前記環境情報記憶手段に記憶された前記環境情報に基づいて、前記統合ＢＩＭモデルに組み込まれた前記ＢＩＭパーツに対応する前記昇降機の昇降路内の温度環境をシミュレーションし、当該シミュレーションの結果が前記端末装置の前記レイアウト画面上で表示されるように前記制御部を制御する環境解析ステップと、
前記環境解析ステップにてシミュレーションされた前記昇降路内の前記温度環境が、前記昇降機が正常に動作するための温度条件を満たすか否かを判定する判定ステップと、
前記判定ステップにて前記温度条件を満たさないと判定された場合、警告情報が前記端末装置の前記レイアウト画面上で表示されるように、前記制御部を制御する警告ステップと、
を含むことを特徴とする方法。
【発明の詳細な説明】
【技術分野】
【０００１】
本発明の実施形態は、ＢＩＭシステム及び方法に関する。
【背景技術】
【０００２】
従来、エレベータ等の昇降機に使用されるパーツの使用温度範囲は様々であり、温度上昇は周囲温度とパーツ単体の発熱量、周辺パーツの発熱量などに影響を受ける。ここで、通常の昇降路は基本的に建物内の日陰部に設置されるため、問題ない場合が多いものの、シースルーのエレベータなどは昇降路内に日光が差し込むことから、昇降路温度内が高くなりやすい。そこで、近年、昇降機の設備計画を提案する際、昇降路内の温度上昇の影響について施工前の段階で確認できる技術が求められていた。
【先行技術文献】
【特許文献】
【０００３】
【特許文献１】特開２００５−３０１４８７号公報
【発明の概要】
【発明が解決しようとする課題】
【０００４】
本実施形態が解決しようとする課題は、昇降機の設備計画を提案する際、昇降路内の温度上昇の影響について施工前の段階で確認できるＢＩＭシステム及び方法を提供することである。
【課題を解決するための手段】
【０００５】
実施形態のＢＩＭシステムは、制御部と記憶部と表示部を少なくとも備える。前記記憶部は、ＢＩＭモデル記憶手段と、パーツ情報記憶手段と、環境情報記憶手段と、を備える。前記ＢＩＭモデル記憶手段は、建築物のＢＩＭモデルを記憶する。前記パーツ情報記憶手段は、前記ＢＩＭモデルに組込可能な昇降機のＢＩＭパーツを作成するためのパーツ情報を記憶する。前記環境情報記憶手段は、前記ＢＩＭモデル内外の環境に影響を及ぼす環境情報を記憶する。前記制御部は、昇降機モデリング手段と、統合モデリング手段と、画面生成手段と、画面表示手段と、環境解析手段と、判定手段と、警告手段と、を備える。前記昇降機モデリング手段は、利用者により入力される作成条件に対応する前記ＢＩＭパーツを、前記パーツ情報記憶手段に記憶された前記パーツ情報を用いて作成する。前記統合モデリング手段は、前記昇降機モデリング手段により作成された前記ＢＩＭパーツを、前記ＢＩＭモデル記憶手段に記憶された前記ＢＩＭモデルに組み込んだ統合ＢＩＭモデルを作成する。前記画面生成手段は、前記統合モデリング手段により作成された前記統合ＢＩＭモデルを含むレイアウト画面を生成する。前記画面表示手段は、前記画面生成手段により生成された前記レイアウト画面を前記表示部に表示させる。前記環境解析手段は、前記画面表示手段により表示された前記レイアウト画面上で、前記環境情報記憶手段に記憶された前記環境情報に基づいて、前記統合ＢＩＭモデルに組み込まれた前記ＢＩＭパーツに対応する前記昇降機の昇降路内の温度環境をシミュレーションする。前記判定手段は、前記環境解析手段によりシミュレーションされた前記昇降路内の前記温度環境が、前記昇降機が正常に動作するための温度条件を満たすか否かを判定する。前記警告手段は、前記判定手段により前記昇降機が正常に動作するための前記温度条件を満たさないと判定された場合、前記表示部に警告情報を表示させる。
【図面の簡単な説明】
【０００６】
【図１】図１は、建築物の設計図書及びＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、ＢＩＭモデルにＢＩＭパーツを組み込んだ統合ＢＩＭモデルを含むレイアウト画面の一例を示す図である。
【図５】図５は、統合ＢＩＭモデル内のＢＩＭパーツが表す昇降機の外観を含むレイアウト画面の一例を示す図である。
【図６】図６は、環境シミュレーションを表すレイアウト画面の一例を示す図である。
【図７】図７は、環境シミュレーションを表すレイアウト画面の一例を示す図である。
【図８】図８は、昇降路内の温度環境のシミュレーションに用いられる各種パラメータを説明するための図である。
【図９】図９は、第１の実施形態におけるＢＩＭシステムの処理の一例を示すフローチャートである。
【図１０】図１０は、昇降路内の温度環境のシミュレーション処理の一例を示すフローチャートである。
【図１１】図１１は、第２の実施形態におけるＢＩＭシステムの構成の一例を示すブロック図である。
【図１２】図１２は、第２の実施形態におけるＢＩＭシステムの処理の一例を示すフローチャートである。
【図１３】図１３は、第３の実施形態におけるＢＩＭシステムの構成の一例を示すブロック図である。
【図１４】図１４は、第３の実施形態におけるＢＩＭシステムの処理の一例を示すフローチャートである。
【発明を実施するための形態】
【０００７】
以下に、実施形態にかかるＢＩＭシステム、サーバ装置、端末装置、方法、及び、プログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォメーションモデル）の概要について説明する。図１は、建築物の設計図書及びＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性及び整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体のデータである建築物の３次元モデル（すなわち、建築物のＢＩＭモデル）を共有することができるので、１個のデータ上で関連性及び整合性の確認を行うことができる。以下の実施形態では、このＢＩＭを使用した昇降機客先提案システムについて説明する。
【０００９】
以下、実施形態の構成および処理について、第１の実施形態（ＢＩＭシステム（機能分散型））、第２の実施形態（ＢＩＭシステム（サーバ主導型））、第３の実施形態（ＢＩＭシステム（スタンドアロン型））の順にて詳細に説明する。
【００１０】
［第１の実施形態］
最初に、第１の実施形態（ＢＩＭシステム）について、図２乃至図１０を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、及び、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えている。端末装置１００は、出力部（表示部１１４及び音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する建築物のＢＩＭモデルに組込可能な昇降機のＢＩＭパーツを、記憶部２０６に記憶されたパーツ情報を用いて作成する機能を有する。そして、サーバ装置２００は、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１５】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータ及び乗客コンベアを含む概念であり、乗客コンベアは、エスカレータ及び動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備、各種配線配管に関する情報などのうちの少なくとも１つを含む。さらに、パーツ情報としては、例えば、昇降機を構成する必要部材の部材強度、価格、寸法、質量、色、素材、材料、固有振動数、発熱量、正常動作温度等といった情報の他、納期、在庫状況、据付時間、仕上げ材、耐用年数、メーカ情報、品番型番などのうちの少なくとも１つを含んでいてもよい。本実施形態において、上記のパーツ情報に含まれる発熱量は、後述の制御部１０２により作成される統合ＢＩＭモデルに組み込まれたＢＩＭパーツに対応する昇降機を動作させた際に、当該昇降機を構成する対象の部材から発生する部材発熱量を示す部材発熱量情報に対応する。また、上記のパーツ情報に含まれる正常動作温度は、昇降機を構成する対象の部材が正常に動作する保証温度範囲を示す保証温度範囲情報に対応する。なお、パーツ情報は、上記に限定されない。
【００１６】
より具体的には、本実施形態において、パーツ情報は、例えば、後述の制御部１０２の処理によりＢＩＭパーツをＢＩＭモデルに組み込む際等に用いられるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、後述の制御部１０２の処理によりＢＩＭパーツをＢＩＭモデルに組み込んだ統合ＢＩＭモデルの動作を解析する際に用いられるＢＩＭパーツの動作パラメータを含む。ここで、動作パラメータは、昇降機の動作速度、動作パターン等を規定するパラメータである。また、パーツ情報は、例えば、後述の制御部１０２の処理により統合ＢＩＭモデルの環境をシミュレーションする際等に用いられるＢＩＭパーツの各種機器の機器設定情報等を含む。機器設定情報は、各種機器の設定に関する情報であり、例えば、昇降機が備える照明機器や空調機器等の設置位置、設置個数、仕様、メーカ情報、品番型番等のうちの少なくとも１つを含む。また、パーツ情報は、例えば、後述の制御部１０２の処理によりＢＩＭパーツを変更する際に用いられる設定パラメータを含む。ここで、設定パラメータは、ＢＩＭパーツを構成する各ユニットのサイズ、色、材質、上記機器設定情報等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１７】
また、制御部２０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、及び、情報提供部２０２ｃ、を備える。
【００１８】
このうち、作成条件受信部２０２ａは、端末装置１００から送信される作成条件を受信する作成条件受信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、例えば、昇降機を設置する建築物の概要、設置位置等、後述するＢＩＭモデルデータベース１０６ａに格納されている建築物のＢＩＭモデルの構造情報を含んでもよい。また、作成条件は、利用者により端末装置１００において入力部１１８を介して入力されたものであってもよいし、予め作成条件が記憶された外部記憶装置（図示せず）から読み込まれたものであってもよい。
【００１９】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、図３に示すようなエレベータの３次元のＢＩＭパーツを作成する。ここで、図３は、昇降機のＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。
【００２０】
昇降機モデリング部２０２ｂは、利用者が後述のレイアウト画面で確認しながら選択可能なように、作成条件を満たす複数の昇降機のＢＩＭパーツを作成してもよい。昇降機モデリング部２０２ｂは、例えば、作成条件受信部２０２ａにより受信された作成条件に基づいた後述のＢＩＭモデルの構造情報等に基づいて、建築物の概要、規模、設置位置、電源設備容量等から当該建築物に設置可能な昇降機のＢＩＭパーツを単数あるいは複数作成する。また、昇降機モデリング部２０２ｂは、作成条件受信部２０２ａにより受信された作成条件に基づいた納期、価格、あるいは、嗜好性に応じてＢＩＭパーツを自動的に最適化して作成するようにしてもよい。例えば、昇降機モデリング部２０２ｂは、利用者によって昇降機の設置に際し納期優先の選択がなされている場合には、設置可能な昇降機のＢＩＭパーツのうち納期が早いものから順に自動で複数作成するようにしてもよい。同様に、昇降機モデリング部２０２ｂは、利用者によって価格優先の選択がなされている場合には、設置可能な複数の昇降機のＢＩＭパーツのうち価格が安いものから順に自動で複数作成するようにしてもよい。昇降機モデリング部２０２ｂは、利用者によって利用者の嗜好性が設定されている場合には、設置可能な複数の昇降機のＢＩＭパーツのうち嗜好性にあったものから順に自動で複数作成するようにしてもよい。昇降機モデリング部２０２ｂは、作成した昇降機のＢＩＭパーツを記憶部２０６に格納して、ＢＩＭパーツデータベース（図示せず）を構築してもよい。
【００２１】
また、情報提供部２０２ｃは、昇降機モデリング部２０２ｂにより作成された昇降機のＢＩＭパーツを端末装置１００へ送信する。ここでは、情報提供部２０２ｃは、昇降機のＢＩＭパーツの情報を含むＢＩＭ情報を生成し、生成されたＢＩＭ情報を端末装置１００へ送信する。
【００２２】
［端末装置１００の構成］
また、図２において、端末装置１００は、サーバ装置２００から送信された昇降機のＢＩＭパーツを、記憶部１０６に記憶された建築物のＢＩＭモデルに組み込んだ統合ＢＩＭモデルを作成する機能を有する。そして、端末装置１００は、作成された統合ＢＩＭモデルを含むレイアウト画面を生成し、生成されたレイアウト画面を表示部１１４に表示させる等の機能を有する。そして、端末装置１００は、表示部１１４に表示されたレイアウト画面上で統合ＢＩＭモデルの動作をシミュレーションする機能（動作解析機能）や環境をシミュレーションする機能（環境解析機能）等を有する。更に、端末装置１００は、レイアウト画面上で統合ＢＩＭモデルに組み込まれたＢＩＭパーツに対応する昇降機の昇降路内の温度環境をシミュレーションする機能等を有する。このとき、端末装置１００は、シミュレーションされた昇降路内の前記温度環境が、昇降機が正常に動作するための温度条件を満たさないと判定された場合、表示部１１４に警告情報を表示させる。
【００２３】
本実施形態において、端末装置１００は、例えば、一般に市販されるデスクトップ型またはノート型のパーソナルコンピュータ等の情報処理装置、携帯電話、スマートフォン、ＰＨＳ、及びＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００２４】
ここで、表示部１１４は、アプリケーション等の表示画面を表示する表示手段（例えば、液晶または有機ＥＬ等から構成されるディスプレイ、モニタ、及び、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、及び、ゲームパッド等）、マウス、キーボード、及び、マイク等であってもよい。また、入出力制御インターフェース部１０８は、表示部１１４、音声出力部１１６、及び、入力部１１８等の制御を行う。
【００２５】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００及びサーバ装置２００と、外部機器または外部システムとを相互に接続する機能を有し、例えば、インターネット、電話回線網（携帯端末回線網及び一般電話回線網等）、イントラネット、または、電力線通信（ＰＬＣ）等であってもよい。
【００２６】
また、記憶部１０６は、ＨＤＤやＳＳＤ等の大容量のストレージ手段、及び／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段である。記憶部１０６は、各種のデータベースやファイルやテーブル（ＢＩＭモデルデータベース１０６ａ、環境情報データベース１０６ｂ、オブジェクト情報データベース１０６ｃ等）を格納してもよい。ここで、記憶部１０６は、各種のファイル等を一時的に記憶するものであってもよい。
【００２７】
ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ここで、ＢＩＭモデルには、例えば、建物形状、空間関係、地理情報、建物部材の数量や特性、部材強度、固有振動数、耐用年数、各種付属設備、各種配線配管、建築物が備える照明機器や空調機器等の設置位置、設置個数、仕様、メーカ情報、品番型番等、各種機器の設定等の情報のうちの少なくとも１つを含む構造情報が含まれるが、これに限定されない。本実施形態において、上述の昇降機モデリング部２０２ｂによりＢＩＭパーツを作成する際、後述の制御部１０２の処理により統合ＢＩＭモデルの環境をシミュレーションする際等に、上述の構造情報が参照される。
【００２８】
環境情報データベース１０６ｂは、建築物のＢＩＭモデル内外の環境に影響を及ぼす外的因子の環境情報を記憶する環境情報記憶手段である。建築物のＢＩＭモデルの環境情報は、ＢＩＭモデルが示す建築物の内外の環境を定義する情報であり、例えば、建築物の内外の各種静的な環境条件、動的な環境条件等に関する情報を含む。環境条件は、例えば、ＢＩＭモデルが示す建築物の地理条件、天候・気候条件、日照条件、風速条件、寒冷条件、湿度条件、塩害条件等の情報のうちの少なくとも１つを含むが、これに限られない。環境情報は、外部記憶装置（図示せず）から読み込まれたものであってもよいし、入力部１１８を介して格納されたものであってもよいし、ネットワーク３００を介して格納されたものであってもよい。本実施形態において、後述の制御部１０２の処理により統合ＢＩＭモデルの環境をシミュレーションする際等に、上述の環境情報が参照される。
【００２９】
オブジェクト情報データベース１０６ｃは、建築物のＢＩＭモデル内外の環境に影響を及ぼす環境オブジェクトに関するオブジェクト情報を記憶するオブジェクト情報記憶手段である。環境オブジェクトに関するオブジェクト情報は、環境オブジェクトを模した３次元モデルを構築するための形状データの他、例えば、各環境オブジェクトの移動条件や経時変化条件、環境オブジェクトが与える物理現象（温度変化、明るさの変化等）についての物理現象条件等に関する情報のうちの少なくとも１つを含む。ここで、環境オブジェクトは、ＢＩＭモデルが示す建築物の内外の環境に影響を及ぼす物体であり、例えば、太陽、月、樹木、人工物、各種地形等の他、東西南北を示す方位記号等のうちの少なくとも１つを含んでもよい。オブジェクト情報は、外部記憶装置（図示せず）から読み込まれたものであってもよいし、入力部１１８を介して格納されたものであってもよいし、ネットワーク３００を介して格納されたものであってもよい。本実施形態において、後述の制御部１０２の処理により統合ＢＩＭモデルの環境をシミュレーションする際等に、上述のオブジェクト情報が参照される。
【００３０】
また、制御部１０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部１０２は、これらのプログラム等により、種々の処理を実行するための情報処理を行う。制御部１０２は、機能概念的に、作成条件送信部１０２ａ、統合モデリング部１０２ｂ、画面生成部１０２ｃ、画面表示部１０２ｄ、動作解析部１０２ｅ、環境解析部１０２ｆ、判定部１０２ｊ、警告部１０２ｋ、変更部１０２ｍを備える。ここで、環境解析部１０２ｆは、昇降路内温度上昇値算出部１０２ｇ、昇降路内最大温度算出部１０２ｈ、部材温度最大値算出部１０２ｉを更に備える。
【００３１】
このうち、作成条件送信部１０２ａは、利用者により入力される上述の作成条件をサーバ装置２００へ送信する作成条件送信手段である。作成条件は、利用者により入力部１１８を介して入力されたものであってもよいし、予め作成条件が記憶された外部記憶装置（図示せず）から読み込まれたものであってもよい。
【００３２】
また、統合モデリング部１０２ｂは、サーバ装置２００から送信されたＢＩＭ情報に応じた昇降機のＢＩＭパーツを、ＢＩＭモデルデータベース１０６ａに記憶された建築物のＢＩＭモデルに組み込んだ統合ＢＩＭモデルを作成する統合モデリング手段である。例えば、統合モデリング部１０２ｂは、図４に示すようなエレベータのＢＩＭパーツを建築物のＢＩＭモデルに組み込んだ３次元の統合ＢＩＭモデルを作成する。ここで、図４は、ＢＩＭモデルにＢＩＭパーツを組み込んだ統合ＢＩＭモデルの一例を示す図である。図４では、建築物の完成時におけるエレベータの設置状態を示す統合ＢＩＭモデルの一部が示されている。ここで、統合モデリング部１０２ｂは、作成した統合ＢＩＭモデルを記憶部１０６に格納して、統合ＢＩＭモデルデータベース（図示せず）を構築してもよい。
【００３３】
また、画面生成部１０２ｃは、統合モデリング部１０２ｂにより作成された統合ＢＩＭモデルを含むレイアウト画面を生成する。
【００３４】
また、画面表示部１０２ｄは、画面生成部１０２ｃにより生成されたレイアウト画面を表示部１１４に表示させる。画面表示部１０２ｄは、例えば、図４に示すようなエレベータのＢＩＭパーツを建築物のＢＩＭモデルに組み込んだ３次元の統合ＢＩＭモデルを含むレイアウト画面を表示部１１４に表示させる。
【００３５】
ところで、例えば、展望エレベータなど、昇降機の設計においては、昇降機と建築物との関係性を加味したデザインを行うことが望まれる場合がある。
【００３６】
本実施形態は、ＢＩＭを用いて、例えば、昇降機の設計等の際に建築物に昇降機が組み込まれた状態の外観を３次元のイメージモデルで視覚的に表し可視化する。これにより、本実施形態は、例えば、昇降機のデザイン性等の検討の容易化、短期間で客先に最適なデザイン等を提案すること、変更等に対してもタイムリーに作業を進めること、より効率的に業務をすすめること等を実現できるようにしている。
【００３７】
具体的には、画面生成部１０２ｃは、統合モデリング部１０２ｂにより作成された統合ＢＩＭモデルに基づいて、統合ＢＩＭモデル内のＢＩＭパーツが表す昇降機の外観を含むレイアウト画面を生成する。そして、画面表示部１０２ｄは、例えば、図５に示すような統合ＢＩＭモデル内のＢＩＭモデルが表す建築物の外観と共に、ＢＩＭパーツが表す昇降機の外観を含むレイアウト画面を表示部１１４に表示させる。この図５に示すレイアウト画面では、ＢＩＭモデルが表す建築物の外観と共に、ＢＩＭパーツが表す昇降機の外観として、昇降路ガラス１、展望用エレベータ乗りかご２、乗りかご２の外壁ガラス２ａ、乗りかご２の外装２ｂ、カウンタウェイト３等が表示されている。これにより、ＢＩＭシステムは、竣工後における建築物に昇降機が組み込まれた状態の外観を事前に可視化することができる。
【００３８】
また、動作解析部１０２ｅは、画面表示部１０２ｄにより表示されたレイアウト画面上で昇降機のＢＩＭパーツの動作をシミュレーションする。具体的には、動作解析部１０２ｅは、昇降機のＢＩＭパーツに含まれるパーツ情報が示すＢＩＭパーツの上述の動作パラメータに基づいて昇降機のＢＩＭパーツの動作を統合ＢＩＭモデル内でシミュレーションする。例えば、動作解析部１０２ｅは、画面表示部１０２ｄにより表示されたレイアウト画面上で昇降機の扉を開閉させたり、乗りかごを昇降させたりなどして、昇降機のＢＩＭパーツの動作を統合ＢＩＭモデル内でシミュレーションする。また、動作解析部１０２ｅは、昇降機のＢＩＭパーツの動作を統合ＢＩＭモデル内でシミュレーションすることで、ＢＩＭパーツが表す昇降機の外観の変化等をシミュレーションすることができる。
【００３９】
また、本実施形態は、ＢＩＭを用いて、ＢＩＭモデルが示す建築物の内外の環境条件に起因する昇降機への影響の確認を行うことも可能としている。
【００４０】
具体的には、環境解析部１０２ｆは、画面表示部１０２ｄにより表示されたレイアウト画面上で、環境情報データベース１０６ｂに記憶された環境情報に基づいて、統合ＢＩＭモデルの環境をシミュレーションする。また、環境解析部１０２ｆは、画面表示部１０２ｄにより表示されたレイアウト画面上で、環境情報データベース１０６ｂに記憶された環境情報に基づいて、オブジェクト情報データベース１０６ｃに記憶されたオブジェクト情報が表す環境オブジェクトを統合ＢＩＭモデル内で変化させながら、統合ＢＩＭモデルの環境をシミュレーションしてもよい。環境解析部１０２ｆは、ＢＩＭモデルデータベース１０６ａに記憶されているＢＩＭモデルの構造情報に含まれる各種機器の設定に関する情報、環境情報データベース１０６ｂに記憶された環境情報に含まれる環境条件等に関する情報、及び、オブジェクト情報データベース１０６ｃに記憶されたオブジェクト情報が表す環境オブジェクト、情報提供部２０２ｃによって送信されるＢＩＭパーツのパーツ情報に含まれる機器設定情報等に基づいて、レイアウト画面上で、統合ＢＩＭモデルの環境をシミュレーションする。これにより、ＢＩＭシステムは、竣工後における建築物の環境条件の昇降機への影響を事前に可視化することができる。
【００４１】
例えば、環境解析部１０２ｆは、図６に例示するように、レイアウト画面上の統合ＢＩＭモデルにおいて、統合ＢＩＭモデルの日照条件についてシミュレーションする。この場合、環境解析部１０２ｆは、例えば、オブジェクト情報データベース１０６ｃに記憶された環境オブジェクトに関するオブジェクト情報に基づいて、環境オブジェクト４として太陽の位置、東西南北を示す方位記号を、統合ＢＩＭモデルを含むレイアウト画面上にあわせて表示し、統合ＢＩＭモデル内で時間帯に応じて太陽の位置を変化させながら、統合ＢＩＭモデルの環境をシミュレーションする。環境解析部１０２ｆは、時間帯だけでなく、夏至の太陽の位置、冬至の太陽の位置等、季節に応じて太陽の位置を変化させてシミュレーションしてもよい。あわせて、環境解析部１０２ｆは、環境オブジェクトが環境に与える物理現象（温度変化、明るさの変化等）についてシミュレーションしてもよい。すなわち、環境解析部１０２ｆは、環境オブジェクト４である太陽が与える物理現象として、例えば、図７に例示するように、統合ＢＩＭモデルを含むレイアウト画面上で、統合ＢＩＭモデル内での日なた領域５や日かげ領域６の変化、明るさの変化等についてシミュレーションし、表示してもよい。また、環境解析部１０２ｆは、環境オブジェクト４である太陽が環境に与える物理現象として、例えば、統合ＢＩＭモデルを含むレイアウト画面上で、日照による昇降路内の温度変化（温度上昇）についてシミュレーションしてもよい。また、環境解析部１０２ｆは、オブジェクト情報に基づいて、統合ＢＩＭモデルを含むレイアウト画面上に、環境オブジェクト４として月、樹木、人工物、各種地形等をあわせて表示し、統合ＢＩＭモデル内で時間帯、季節等に応じてこれら月、樹木、人工物、各種地形等を変化させながら、統合ＢＩＭモデルの環境をシミュレーションするようにしてもよい。この他、環境解析部１０２ｆは、レイアウト画面上の統合ＢＩＭモデルにおいて、統合ＢＩＭモデルの地理条件、天候・気候条件、風速条件、寒冷条件、湿度条件、塩害条件等についてシミュレーションするようにしてもよい。
【００４２】
本実施形態において、環境解析部１０２ｆは、日照による昇降路内の温度変化（温度上昇）、すなわち、昇降機の昇降路内の温度環境について、以下のようにシミュレーションする。環境解析部１０２ｆは、画面表示部１０２ｄにより表示されたレイアウト画面上で、環境情報データベース１０６ｂに記憶された環境情報に基づいて、統合ＢＩＭモデルに組み込まれたＢＩＭパーツに対応する昇降機の昇降路内の温度環境をシミュレーションする。ここで、環境解析部１０２ｆは、画面表示部１０２ｄにより表示されたレイアウト画面上で、環境情報データベース１０６ｂに記憶された環境情報に基づいて、オブジェクト情報データベース１０６ｃに記憶されたオブジェクト情報が表す環境オブジェクトを統合ＢＩＭモデル内で変化させながら、統合ＢＩＭモデルに組み込まれたＢＩＭパーツに対応する昇降機の昇降路内の温度環境をシミュレーションしてもよい。更に、環境解析部１０２ｆは、画面表示部１０２ｄにより表示されたレイアウト画面上で、動作解析部１０２ｅにより昇降機のＢＩＭパーツの動作をシミュレーションしている状態で、環境情報データベース１０６ｂに記憶された環境情報に基づいて、オブジェクト情報データベース１０６ｃに記憶されたオブジェクト情報が表す環境オブジェクトを統合ＢＩＭモデル内で変化させながら、統合ＢＩＭモデルに組み込まれたＢＩＭパーツに対応する昇降機の昇降路内の温度環境をシミュレーションしてもよい。
【００４３】
ここで、環境解析部１０２ｆが実行する昇降機の昇降路内の温度環境をシミュレーションする処理の内容について、図８を参照しながら説明する。図８は、昇降路内の温度環境のシミュレーションに用いられる各種パラメータを説明するための図である。環境解析部１０２ｆは、昇降機の昇降路内の温度環境をシミュレーションする際、昇降路内の温度環境のシミュレーション結果として昇降機を構成する部材の温度最大値を算出する。具体的に、環境解析部１０２ｆは、当該環境解析部１０２ｆが更に備える、昇降路内温度上昇値算出部１０２ｇ、昇降路内最大温度算出部１０２ｈ、および、部材温度最大値算出部１０２ｉの各部の処理により、以下のようにシミュレーションする。
【００４４】
環境解析部１０２ｆのうち、昇降路内温度上昇値算出部１０２ｇは、統合ＢＩＭモデルと環境情報に基づいて算出される、統合ＢＩＭモデルに照射される外光の面積に応じた昇降路に入り込む外光による熱量（ＷＬ）に基づいて、外光による昇降路内の温度上昇値（ＴＬ）を算出する昇降路内温度上昇値算出手段である。ここで、統合ＢＩＭモデルに照射される外光の面積に応じた昇降路に入り込む外光による熱量（ＷＬ）は、統合ＢＩＭモデルと環境オブジェクトとの位置関係を更に考慮して算出されてもよい。例えば、昇降路内温度上昇値算出部１０２ｇは、以下の数式１に従って、外光による昇降路内の温度上昇値（ＴＬ）を算出する。
ＴＬ＝ＷＬ・α  …数式１
【００４５】
図８に示すように、数式１において、ＷＬは、日光による昇降路に入り込む熱量を表す。ＴＬは、ＷＬによる昇降路内の温度上昇値を表す。αは、周辺環境等による昇降路内の温度上昇値の変化度合いを調整する係数を表す。ここで、αは、実験等に応じて任意に設定される。また、αは、例えば統合ＢＩＭモデルに照射される外光の面積による影響を表す係数であってもよいし、ガラスの材質や熱貫流率等を表す係数であってもよい。
【００４６】
また、昇降路内最大温度算出部１０２ｈは、昇降路内温度上昇値算出部１０２ｇにより算出された外光による昇降路内の温度上昇値（ＴＬ）と、予め設定された昇降路内の温度（ｔｓ）とに基づいて、昇降路内の最大温度（Ｔ）を算出する昇降路内最大温度算出手段である。例えば、昇降路内最大温度算出部１０２ｈは、以下の数式２に従って、昇降路内の最大温度（Ｔ）を算出する。
Ｔ＝ｔｓ＋ＴＬ  …数式２
【００４７】
図８に示すように、数式２において、Ｔは、昇降路内の最大温度を表す。ｔｓは、昇降路内温度を表す。ＴＬは、ＷＬによる昇降路内の温度上昇値を表す。ここで、ｔｓは、昇降路内の温度として予め定められた基準値を用いてもよいし、ＢＩＭパーツの動作解析や環境オブジェクトによる影響を考慮した昇降路内の温度を示す値を用いてもよい。
【００４８】
また、部材温度最大値算出部１０２ｉは、昇降路内最大温度算出部１０２ｈにより算出された昇降路内の最大温度（Ｔ）と、部材発熱量情報が示す部材発熱量（ｗ１，２，３）とに基づいて、昇降機を構成する部材の温度最大値（ｔ１，２，３）を算出する部材温度最大値算出手段である。例えば、部材温度最大値算出部１０２ｉは、以下の数式３に従って、温度最大値（ｔ１，２，３）を算出する。
ｔ１，２，３＝ｗ１，２，３・β＋Ｔ・γ  …数式３
【００４９】
図８に示すように、数式３において、ｔ１は、パーツ１の温度最大値を表す。ｔ２は、パーツ２の温度最大値を表す。ｔ３は、パーツ３の温度最大値を表す。ｗ１は、パーツ１の発熱量を表す。ｗ２は、パーツ２の発熱量を表す。ｗ３は、パーツ３の発熱量を表す。βは、周辺環境等による各パーツの発熱量の変化度合いを調整する係数を表す。Ｔは、昇降路内の最大温度を表す。γは、周辺環境等による昇降路内の最大温度の変化度合いを調整する係数を表す。ここで、ｗ１，２，３は、各パーツの部材発熱量として予め定められたパーツ情報に含まれる部材発熱量の基準値を用いてもよいし、利用者により入力された各パーツの部材発熱量を示す値を用いてもよい。また、βおよびγは、実験等に応じて任意に設定される。
【００５０】
図２に戻り、判定部１０２ｊは、環境解析部１０２ｆによりシミュレーションされた昇降路内の温度環境が、昇降機が正常に動作するための温度条件を満たすか否かを判定する判定手段である。具体的には、判定部１０２ｊは、環境解析部１０２ｆの部材温度最大値算出部１０２ｉにより算出された部材の温度最大値（ｔ１，２，３）と、保証温度範囲情報が示す保証温度範囲（ｔ’１，２，３）を比較し、昇降機を構成する部材の温度最大値が保証温度範囲を外れる場合に、温度条件を満たさないと判定する。例えば、判定部１０２ｊは、以下の数式４に従って、昇降路内の温度環境が、昇降機が正常に動作するための温度条件を満たすか否かを判定する。
ｔ１，２，３＜ｔ’１，２，３  …数式４
【００５１】
数式４において、ｔ’１，２，３は、各パーツの正常動作温度最大値を表す。ｔ１，２，３は、各パーツの温度最大値を表す。ここで、ｔ’１，２，３は、各パーツの正常動作温度最大値として予め定められたパーツ情報に含まれる保証温度範囲の基準値を用いてもよいし、利用者により入力された各パーツの保証温度範囲を示す値を用いてもよい。
【００５２】
また、警告部１０２ｋは、判定部１０２ｊにより、昇降機が正常に動作するための温度条件を満たさないと判定された場合（すなわち、ｔ１，２，３≧ｔ’１，２，３の場合）、表示部１１４に警告情報を表示させる警告手段である。例えば、警告部１０２ｋは、判定部１０２ｊにより昇降機が正常に動作するための温度条件を満たさないと判定された場合、昇降機を構成する部材が保証温度範囲外で使用される可能性がある旨を示す警告情報を表示部１１４に表示させる。
【００５３】
また、変更部１０２ｍは、画面表示部１０２ｄにより表示されたレイアウト画面上でＢＩＭモデル、又は、ＢＩＭパーツを変更する。具体的には、変更部１０２ｍは、利用者により入力される変更条件に応じて、ＢＩＭモデルデータベース１０６ａに記憶されているＢＩＭモデルに含まれる構造情報を変更することで、建築物のＢＩＭパーツを変更する。また、変更部１０２ｍは、利用者により入力される変更条件に応じてＢＩＭパーツに含まれるパーツ情報の上記設定パラメータを変更することで、昇降機のＢＩＭパーツを変更する。またこれにより、変更部１０２ｍは、利用者により入力される変更条件に応じて、ＢＩＭパーツの各種機器の機器設定を変更することもできる。そして、上記画面生成部１０２ｃは、変更部１０２ｍにより変更されたＢＩＭモデル、又は、ＢＩＭパーツを含むレイアウト画面、すなわち、変更されたＢＩＭモデル、又は、ＢＩＭパーツが反映された統合ＢＩＭモデルを含むレイアウト画面を生成する。画面表示部１０２ｄは、変更部１０２ｍにより変更されたＢＩＭモデル、又は、ＢＩＭパーツが反映された統合ＢＩＭモデルを含むレイアウト画面を表示部１１４に表示させる。これにより、このＢＩＭシステムは、利用者等による設計変更等を即座にＢＩＭモデル、ＢＩＭパーツ等に反映させ、表示部１１４に表示されている統合ＢＩＭモデルに反映させることができる。
【００５４】
以上で、第１の実施形態におけるＢＩＭシステムの構成の一例の説明を終える。
【００５５】
［第１の実施形態におけるＢＩＭシステムの処理］
次に、このように構成された第１の実施形態におけるＢＩＭシステムの処理の一例について、以下に図９を参照して詳細に説明する。図９は、第１の実施形態におけるＢＩＭシステムの処理の一例を示すフローチャートである。
【００５６】
図９に示すように、端末装置１００の作成条件送信部１０２ａは、利用者により入力される作成条件をサーバ装置２００へ送信する（ステップＳＡ−１０）。
【００５７】
そして、サーバ装置２００の作成条件受信部２０２ａは、ステップＳＡ−１０にて作成条件送信部１０２ａの処理により送信される作成条件を受信する（ステップＳＡ−２０）。
【００５８】
そして、サーバ装置２００の昇降機モデリング部２０２ｂは、ステップＳＡ−２０にて作成条件受信部２０２ａの処理により受信された作成条件に対応する昇降機のＢＩＭパーツを、パーツ情報データベース２０６ａに記憶されたパーツ情報を用いて作成する（ステップＳＡ−３０）。例えば、昇降機モデリング部２０２ｂは、図３に示すようなエレベータのＢＩＭパーツを作成する。ここで、ステップＳＡ−３０において、昇降機モデリング部２０２ｂは、作成条件を満たす複数の昇降機のＢＩＭパーツを作成してもよい。
【００５９】
そして、サーバ装置２００の情報提供部２０２ｃは、ステップＳＡ−３０にて昇降機モデリング部２０２ｂの処理により作成された昇降機のＢＩＭパーツの情報を含むＢＩＭ情報を生成する（ステップＳＡ−４０）。
【００６０】
そして、サーバ装置２００の情報提供部２０２ｃは、ステップＳＡ−４０での処理により作成したＢＩＭ情報を端末装置１００へ送信する（ステップＳＡ−５０）。
【００６１】
そして、端末装置１００の制御部１０２は、ステップＳＡ−５０にて情報提供部２０２ｃの処理により送信されたＢＩＭ情報を受信する（ステップＳＡ−６０）。
【００６２】
そして、端末装置１００の統合モデリング部１０２ｂは、ステップＳＡ−６０にて制御部１０２の処理により受信されたＢＩＭ情報に含まれる単数または複数の昇降機のＢＩＭパーツを、ＢＩＭモデルデータベース１０６ａに記憶された建築物のＢＩＭモデルに組み込んだ統合ＢＩＭモデルを作成する（ステップＳＡ−７０）。例えば、統合モデリング部１０２ｂは、図４に示すような、エレベータのＢＩＭパーツが建築物のＢＩＭモデルに組み込まれた状態の昇降機組込建築物に対応する統合ＢＩＭモデルを作成する。ここで、統合モデリング部１０２ｂは、ＢＩＭ情報に含まれる昇降機のＢＩＭパーツが複数ある場合には、複数の統合ＢＩＭモデルを作成してもよいし、利用者の入力に応じて選択された１つのＢＩＭパーツに対応する統合ＢＩＭモデルを作成してもよい。
【００６３】
そして、端末装置１００の画面生成部１０２ｃは、ステップＳＡ−７０にて統合モデリング部１０２ｂの処理により作成された統合ＢＩＭモデルを含むレイアウト画面を生成する（ステップＳＡ−８０）。例えば、画面生成部１０２ｃは、ステップＳＡ−７０にて統合モデリング部１０２ｂの処理により作成された統合ＢＩＭモデルに基づいて、上述した図５に示すような、統合ＢＩＭモデル内のＢＩＭパーツが表す昇降機の外観を含むレイアウト画面を生成する。
【００６４】
そして、端末装置１００の画面表示部１０２ｄは、ステップＳＡ−８０にて画面生成部１０２ｃの処理により生成されたレイアウト画面を表示部１１４に表示させる（ステップＳＡ−９０）。例えば、画面表示部１０２ｄは、上述した図５に示すような統合ＢＩＭモデル内のＢＩＭパーツが表す昇降機の外観を含むレイアウト画面を表示部１１４に表示させる。
【００６５】
そして、端末装置１００の制御部１０２は、ＢＩＭパーツの動作解析、または、昇降路内の温度環境のシミュレーションを行う際に参照される、解析条件の入力があるか否かを判定する（ステップＳＡ−１００）。ここで、解析条件は、例えば入力部１１８を介して利用者により入力されてもよいし、予め記憶部１０６に記憶されたものを読み込んでもよい。
【００６６】
そして、端末装置１００の動作解析部１０２ｅは、ステップＳＡ−１００にて制御部１０２の処理により解析条件の入力があると判定された場合（ステップＳＡ−１００：Ｙｅｓ）、入力された解析条件にＢＩＭパーツの動作解析のための動作解析条件が指定されていれば、当該条件に従って、ステップＳＡ−９０にて画面表示部１０２ｄの処理により表示されたレイアウト画面上で昇降機のＢＩＭパーツの動作をシミュレーション（動作解析）する（ステップＳＡ−１１０）。
【００６７】
そして、端末装置１００の環境解析部１０２ｆは、入力された解析条件に昇降機の昇降路内の温度環境をシミュレーションするための環境解析条件が指定されていれば、当該条件に従って、ステップＳＡ−９０にて画面表示部１０２ｄの処理により表示されたレイアウト画面上で、図６および図７に例示したように、環境情報データベース１０６ｂに記憶された環境情報に基づいて、オブジェクト情報データベース１０６ｃに記憶されたオブジェクト情報が表す環境オブジェクトを統合ＢＩＭモデル内で変化させながら、図８に例示したように、統合ＢＩＭモデルに組み込まれたＢＩＭパーツに対応する昇降機の昇降路内の温度環境をシミュレーションする（ステップＳＡ−１２０）。
【００６８】
ここで、ステップＳＡ−１２０において環境解析部１０２ｆにおいて実行される、昇降機の昇降路内の温度環境をシミュレーションする処理の内容について図１０を参照して説明する。図１０は、昇降路内の温度環境のシミュレーション処理の一例を示すフローチャートである。
【００６９】
図１０に示すように、環境解析部１０２ｆの昇降路内温度上昇値算出部１０２ｇは、統合ＢＩＭモデルと環境情報とに基づいて算出される、統合ＢＩＭモデルに照射される外光の面積に応じた昇降路に入り込む外光による熱量（ＷＬ）とに基づいて、上述の数式１「ＴＬ＝ＷＬ・α」に従って、外光による昇降路内の温度上昇値（ＴＬ）を算出する（ステップＳＡ−１２１）。
【００７０】
そして、環境解析部１０２ｆの昇降路内最大温度算出部１０２ｈは、ステップＳＡ−１２１にて昇降路内温度上昇値算出部１０２ｇの処理により算出された外光による昇降路内の温度上昇値（ＴＬ）と、予め設定された昇降路内の温度（ｔｓ）に基づいて、上述の数式２「Ｔ＝ｔｓ＋ＴＬ」に従って、昇降路内の最大温度（Ｔ）を算出する（ステップＳＡ−１２２）。
【００７１】
そして、環境解析部１０２ｆの部材温度最大値算出部１０２ｉは、ステップＳＡ−１２２にて昇降路内最大温度算出部１０２ｈの処理により算出された昇降路内の最大温度（Ｔ）と、部材発熱量情報が示す部材発熱量（ｗ１，２，３）とに基づいて、上述の数式３「ｔ１，２，３＝ｗ１，２，３・β＋Ｔ・γ」に従って、昇降機を構成する部材の温度最大値（ｔ１，２，３）を算出する（ステップＳＡ−１２３）。その後、図９のステップＳＡ−１３０の処理へ移行する。
【００７２】
図９に戻り、ステップＳＡ−１２０において、環境解析部１０２ｆは、ステップＳＡ−９０にて画面表示部１０２ｄの処理により表示されたレイアウト画面上で、ステップＳＡ−１１０にて動作解析部１０２ｅの処理により昇降機のＢＩＭパーツの動作をシミュレーションしている状態で、環境情報データベース１０６ｂに記憶された環境情報に基づいて、オブジェクト情報データベース１０６ｃに記憶されるオブジェクト情報が表す環境オブジェクトを統合ＢＩＭモデル内で変化させながら、統合ＢＩＭモデルに組み込まれたＢＩＭパーツに対応する昇降機の昇降路内の温度環境をシミュレーションしてもよい。
【００７３】
そして、ステップＳＡ−１２０の処理の後、端末装置１００の判定部１０２ｊは、ステップＳＡ−１２０にて環境解析部１０２ｆの処理によりシミュレーションされた昇降路内の温度環境が、昇降機が正常に動作するための温度条件を満たすか否かを判定する（ステップＳＡ−１３０）。具体的には、ステップＳＡ−１３０において、判定部１０２ｊは、図１０のステップＳＡ−１２３にて部材温度最大値算出部１０２ｉの処理により算出された部材の温度最大値（ｔ１，２，３）と、保証温度範囲情報が示す保証温度範囲（ｔ’１，２，３）を比較し、上述の数式４「ｔ１，２，３＜ｔ’１，２，３」に従って、昇降路内の温度環境が、昇降機が正常に動作するための温度条件を満たすか否かを判定する。例えば、ステップＳＡ−１３０において、判定部１０２ｊは、昇降機を構成する部材の温度最大値が保証温度範囲を外れる場合（すなわち、ｔ１，２，３≧ｔ’１，２，３の場合）に、昇降路内の温度環境が、昇降機が正常に動作するための温度条件を満たさないと判定する。
【００７４】
そして、端末装置１００の警告部１０２ｋは、ステップＳＡ−１３０にて判定部１０２ｊの処理により、昇降機が正常に動作するための温度条件を満たさないと判定された場合（ステップＳＡ−１３０：Ｎｏ）、表示部１１４に警告情報を表示させる（ステップＳＡ−１４０）。例えば、ステップＳＡ−１４０において、警告部１０２ｋは、昇降機を構成する部材が保証温度範囲外で使用される可能性がある旨を示す警告情報を表示部１１４に表示させる。ここで、警告部１０２ｋは、警告情報に音声情報が含まれる場合、音声出力部１１６を介して警告情報を音声で出力してもよい。その後、ステップＳＡ−１５０の処理へ移行する。
【００７５】
一方、ステップＳＡ−１３０にて判定部１０２ｊの処理により、昇降機が正常に動作するための温度条件を満たすと判定された場合（ステップＳＡ−１３０：Ｙｅｓ）は、上述のステップＳＡ−１４０の処理を実行せずに（すなわち、警告情報の表示処理を実行せずに）、ステップＳＡ−１５０の処理へ移行する。
【００７６】
ここで、ステップＳＡ−１００に戻り、制御部１０２の処理により解析条件の入力がないと判定された場合（ステップＳＡ−１００：Ｎｏ）は、上述のステップＳＡ−１１０〜ＳＡ−１４０の処理を実行せずに（すなわち、ＢＩＭパーツの動作解析、昇降路内の温度環境のシミュレーション、所定の温度条件を満たすかの判定、警告情報の表示等の処理を実行せずに）、ステップＳＡ−１５０の処理へ移行する。
【００７７】
そして、端末装置１００の変更部１０２ｍは、利用者の入力に応じて変更があるか否かを判定する（ステップＳＡ−１５０）。
【００７８】
端末装置１００の変更部１０２ｍは、ステップＳＡ−１５０での処理により変更があると判定した場合（ステップＳＡ−１５０：Ｙｅｓ）、処理をステップＳＡ−１０に移行させる。端末装置１００の制御部１０２は、ステップＳＡ−１５０にて変更部１０２ｍの処理により変更がないと判定された場合（ステップＳＡ−１５０：Ｎｏ）、この処理を終了する。
【００７９】
以上で、第１の実施形態におけるＢＩＭシステムの処理の一例の説明を終える。
【００８０】
上記のように構成されるＢＩＭシステムは、図８に示すように、例えばシースルーのエレベータを想定して、日光が入ってくる（すなわち、日当たり）面積や向きから算出される日光の熱量、パーツの発熱量、周辺パーツの熱量などの熱に関する情報と、時間帯やエレベータの稼働率やスペックなどの条件からエレベータパーツの温度上昇値を算出し確認することができる。そのため、エレベータパーツの温度上昇値を算出した結果、日光による影響で各パーツの正常動作温度を超えてしまうような温度上昇が発生することが予測される場合、設計者にアラームを出し、警告することが可能になる。これにより、アラームを受けた設計者は日光による影響を少なくするため、建屋のレイアウトを変更したり、シースルー部分の面積を減らして日光の入る量を抑制したり、エレベータのスペック（速度・積載など）を下げたりして、パーツの発熱量を抑えるといった発熱量を事前に考慮した設計を行うことができる。このように、施工前に昇降路内の温度上昇をシミュレーションすることで、日光による昇降路内配置パーツへの影響を最小限に抑えることができる。
【００８１】
また、上記のように構成されるＢＩＭシステムは、例えば、各業種にて建物全体データである建築物の３次元モデル（すなわち、建築物のＢＩＭモデル）を共有することができるので、１個のデータ上で関連性及び整合性の確認を行うことができる。そして、ＢＩＭシステムは、ＢＩＭモデルに昇降機のＢＩＭパーツを統合した統合ＢＩＭモデル上で、昇降機設備に必要な設備工事等の検討事項を可視化、検討することができるので、高い設計品質を確保することができ、作業効率を向上することができる。そして、ＢＩＭシステムは、図５に示すように端末装置１００の表示部１１４に、統合ＢＩＭモデル内のＢＩＭパーツが表す昇降機の外観を含むレイアウト画面を表示することができる。また、上記のように構成されるＢＩＭシステムは、図６、図７に示すように端末装置１００の表示部１１４にて、統合ＢＩＭモデルを含むレイアウト画面上で、ＢＩＭモデルが示す建築物の内外の環境条件に起因する昇降機への影響を表示しシミュレーションすることができる。例えば、ＢＩＭシステムは、端末装置１００の表示部１１４に、環境オブジェクト等を表示させた上で、統合ＢＩＭモデルの環境をシミュレーションすることができる。これにより、ＢＩＭシステムは、竣工後における建築物に昇降機が組み込まれた状態の外観を事前に可視化することができ、また、竣工後における建築物の環境条件の昇降機への影響を事前に可視化することができる。
【００８２】
これにより、利用者は、施工前の計画段階で建築物に昇降機が組み込まれた状態の外観のイメージをモデルから視覚的に容易に比較、確認することができ、昇降機のデザイン性等の内容を効率よく検討しすすめることができる。例えば、利用者は、図５に例示するように、昇降路ガラス１、外壁ガラス２ａの大きさや外装２ｂの塗装等、意匠面として取り扱うべき範囲及び意匠自体等を容易に検討することが可能となる。これにより、利用者は、建築物の外観（ファサード）における昇降路、乗りかご、カウンタウェイト、メインロープ等の見え方を、実際に工事に入る前に事前時に詳細に検討することができる。
【００８３】
また、利用者は、建築物の環境条件の昇降機への影響をシミュレーションし視覚的に、確認、判断して最適化を図ることができ、例えば、デザイン性の向上、コスト低減、作業性向上、作業時間短縮等を図ることができる。これにより、利用者は、実際に工事に入る前に事前時に、建築物の内外の環境の影響を昇降機にも反映させて、詳細に検討することができる。例えば、利用者は、可視化された建築物の環境条件の昇降機への影響として、日照変化に基づいて、昇降機における照明計画、照明機器等の設定シミュレーション等を行うことができる。また、利用者は、光の影響を受ける機器、例えば、着床スイッチやドアセフティ等に用いられる光センサ等の光学機器の動作確認、当該光学機器の反射光等による誤作動確認等も合わせてシミュレーションすることもできる。また例えば、利用者は、乗りかご内に直射日光が入ると予測される場合等に、かご操作盤の行先開ボタンの点灯や階床表示灯、方向灯などの視認性の確認や見えやすい色合いの点灯色、輝度などの検討を事前に検証することができる。また、利用者は、建築物の環境条件の昇降機への影響として、例えば、昇降路や乗りかご内の温度変化に基づいて、昇降機における空調計画、空調機器等の設定シミュレーション等をおこなうことができる。例えば、利用者は、シミュレーション結果に基づいて、乗りかご内の最高温度や最低温度を把握して、最適な空調容量を容易に算出することができる。また例えば、利用者は、昇降路壁や昇降路ガラス１、外壁ガラス２ａを変更しながら、乗りかご内温度に対する日照の影響を検討することができる。
【００８４】
また、利用者は、建築物に昇降機が組み込まれた状態の外観のイメージや上記の環境シミュレーションの結果等に応じて設計に反映させることができ、設計変更が行われた場合には即座に利用者に対してフィードバックされることから、タイムリーに作業を進めることができる。また、利用者は、例えば、外観のイメージや環境条件の影響を含めた昇降機設備計画等においても、客先のイメージの相互確認を容易に行うことができ、提案を効率よく行うことができ、短期間で客先に最適な仕様等を提案する。また、利用者は、レイアウト画面上で昇降機のＢＩＭパーツの動作をシミュレーションすることができ、例えば、外観のイメージや環境条件の影響を含めて昇降機の動き等を可視化してシミュレーションすることができ、客先に対して容易に種々の検証及び提案を行うことができる。なお、このＢＩＭシステムは、例えば、上記のような環境シミュレーションの結果を自動的に設計に反映させるようにしてもよい。
【００８５】
［第２の実施形態］
続いて、第２の実施形態について、図１１および図１２を参照して以下に説明する。なお、以下の第２の実施形態（サーバ主導型）の説明では、上述した実施形態と共通する構成、作用、効果については、重複した説明はできるだけ省略する。ここで、図１１は、第２の実施形態におけるＢＩＭシステムの構成の一例を示すブロック図であり、該構成のうち本実施形態に関係する部分を概念的に示している。
【００８６】
なお、第２の実施形態においては、サーバ装置２００側で作成条件に対応する昇降機のＢＩＭパーツを建築物のＢＩＭモデルに組み込んだ統合ＢＩＭモデルを作成する。また、サーバ装置２００側で統合ＢＩＭモデルを含むレイアウト画面を生成して端末装置１００側へ送信することで、当該端末装置１００の表示部１１４に表示させるように制御している。また、サーバ装置２００側で昇降機の昇降路内の温度環境をシミュレーションし、当該シミュレーションの結果がレイアウト画面上で表示されるように制御する。更に、サーバ装置２００側で、昇降路内の前記温度環境が、昇降機が正常に動作するための温度条件を満たすか否かを判定し、温度条件を満たさないと判定された場合、警告情報が端末装置１００のレイアウト画面上で表示されるように制御する。このように、第２の実施形態は、サーバ装置２００にてサーバ主導で処理を行う点が、その他の実施形態と異なる。
【００８７】
［第２の実施形態におけるＢＩＭシステムの構成］
まず、第２の実施形態におけるＢＩＭシステムの構成の一例について、図１１を参照して以下に説明する。
【００８８】
図１１に示すように、第２の実施形態のサーバ装置２００は、出力部（表示部１１４及び音声出力部１１６）と入力部１１８と制御部１０２と記憶部１０６とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００及び端末装置１００の各部は任意の通信路を介して通信可能に接続されている。
【００８９】
図１１において、サーバ装置２００は、端末装置１００から送信される作成条件に対応する昇降機のＢＩＭパーツを、記憶部２０６に記憶されたパーツ情報を用いて作成する機能を有する。そして、サーバ装置２００は、作成された昇降機のＢＩＭパーツを、記憶部２０６に記憶された建築物のＢＩＭモデルに組み込んだ統合ＢＩＭモデルを作成する機能を有する。そして、サーバ装置２００は、作成された統合ＢＩＭモデルを含むレイアウト画面を生成し、当該レイアウト画面を端末装置１００へ送信することにより、端末装置１００の表示部１１４に表示させるように制御する等の機能を有する。ここで、サーバ装置２００は、記憶部２０６に記憶されたＢＩＭモデル内外の環境に影響を及ぼす環境情報に基づいて、統合ＢＩＭモデルに組み込まれたＢＩＭパーツに対応する昇降機の昇降路内の温度環境をシミュレーションし、当該シミュレーションの結果がレイアウト画面上で表示されるように制御部２０２を制御する等の機能を有する。更に、サーバ装置２００は、シミュレーションされた昇降路内の温度環境が、昇降機が正常に動作するための温度条件を満たすか否かを判定し、当該温度条件を満たさないと判定された場合、警告情報が端末装置１００のレイアウト画面上で表示されるように制御部２０２を制御する等の機能を有する。
【００９０】
なお、サーバ装置２００における通信制御インターフェース部２０４及び記憶部２０６（パーツ情報データベース２０６ａ、オブジェクト情報データベース２０６ｄ等）の機能、また、端末装置１００における表示部１１４、音声出力部１１６、及び、入力部１１８の機能は、第１の実施形態と実質的に同様であるため説明を省略する。なお、記憶部２０６のうち、ＢＩＭモデルファイル２０６ｂには、端末装置１００側の記憶部１０６のＢＩＭモデルデータベース１０６ａに記憶された複数の建築物のＢＩＭモデルのうち、対象の建築物のＢＩＭモデルが予めサーバ装置２００側へ転送されて一時的に記憶されているものとする。同様に、記憶部２０６のうち、環境情報ファイル２０６ｃには、端末装置１００側の記憶部１０６の環境情報データベース１０６ｂに記憶された各種環境条件のうち、対象の環境条件を示す環境情報が予めサーバ装置２００側へ転送されて一時的に記憶されているものとする。
【００９１】
また、図１１において、制御部２０２は、ＯＳ等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、統合モデリング部２０２ｄ、画面生成部２０２ｅ、画面表示制御部２０２ｆ、動作解析部２０２ｇ、環境解析部２０２ｈ、判定部２０２ｍ、警告部２０２ｎ、変更部２０２ｐを備える。ここで、環境解析部２０２ｈは、昇降路内温度上昇値算出部２０２ｉ、昇降路内最大温度算出部２０２ｊ、部材温度最大値算出部２０２ｋを更に備える。なお、作成条件受信部２０２ａ、昇降機モデリング部２０２ｂ、画面生成部２０２ｅ、動作解析部２０２ｇ、環境解析部２０２ｈ（昇降路内温度上昇値算出部２０２ｉ、昇降路内最大温度算出部２０２ｊ、部材温度最大値算出部２０２ｋ）、判定部２０２ｍ、変更部２０２ｐの機能は、第１の実施形態と実質的に同様であるため説明を省略する。
【００９２】
このうち、統合モデリング部２０２ｄは、サーバ装置２００側で昇降機モデリング部２０２ｂにより作成された昇降機のＢＩＭパーツを、ＢＩＭモデルファイル２０６ｂに記憶された建築物のＢＩＭモデルに組み込んだ統合ＢＩＭモデルを作成する統合モデリング手段である。ここで、統合モデリング部２０２ｄは、作成した統合ＢＩＭモデルを記憶部２０６に格納して、統合ＢＩＭモデルデータベース（図示せず）を構築してもよい。
【００９３】
また、画面表示制御部２０２ｆは、画面生成部２０２ｅにより生成されたレイアウト画面を含むＢＩＭ情報を生成し、当該ＢＩＭ情報を端末装置１００へ送信して、当該ＢＩＭ情報に基づいて端末装置１００の表示部１１４にレイアウト画面を表示させるように制御する画面表示制御手段である。画面表示制御部２０２ｆは、例えば、図４に示すようなエレベータのＢＩＭパーツを建築物のＢＩＭモデルに組み込んだ３次元の統合ＢＩＭモデルを含むレイアウト画面を表示部１１４に表示させる。ここで、画面表示制御部２０２ｆは、動作解析部２０２ｇにより解析された昇降機のＢＩＭパーツの動作のシミュレーションの結果がレイアウト画面上で表示されるようにＢＩＭ情報を生成してもよい。この場合、画面表示制御部２０２ｆは、当該ＢＩＭ情報を端末装置１００へ送信して、当該ＢＩＭ情報に基づいて端末装置１００の表示部１１４に昇降機のＢＩＭパーツの動作のシミュレーションの結果を表示させるように制御する。また、画面表示制御部２０２ｆは、環境解析部２０２ｈにより統合ＢＩＭモデルに組み込まれたＢＩＭパーツに対応する昇降機の昇降路内の温度環境をシミュレーションした結果がレイアウト画面上で表示されるようにＢＩＭ情報を生成してもよい。この場合、画面表示制御部２０２ｆは、当該ＢＩＭ情報を端末装置１００へ送信して、当該ＢＩＭ情報に基づいて端末装置１００の表示部１１４に昇降機の昇降路内の温度環境をシミュレーションした結果を表示させるように制御する。画面表示制御部２０２ｆは、後述の警告部２０２ｎにより生成された警告情報を含むＢＩＭ情報を生成してもよい。この場合、画面表示制御部２０２ｆは、当該ＢＩＭ情報を端末装置１００へ送信して、当該ＢＩＭ情報に基づいて端末装置１００の表示部１１４に昇降機を構成する部材が保証温度範囲外で使用される可能性がある旨を示す警告情報を表示させるように制御する。
【００９４】
また、警告部２０２ｎは、判定部２０２ｍにより、昇降機が正常に動作するための温度条件を満たさないと判定された場合（すなわち、ｔ１，２，３≧ｔ’１，２，３の場合）、端末装置１００の表示部１１４に表示させるための警告情報を生成する警告手段である。例えば、警告部２０２ｎは、判定部２０２ｍにより昇降機が正常に動作するための温度条件を満たさないと判定された場合、昇降機を構成する部材が保証温度範囲外で使用される可能性がある旨を示す警告情報を生成する。
【００９５】
なお、図１１では、ＢＩＭモデルデータベース１０６ａおよび環境情報データベース１０６ｂが端末装置１００側の記憶部１０６に備えられた例を説明したが、これに限定されない。図示しないが、ＢＩＭモデルデータベース１０６ａおよび環境情報データベース１０６ｂは、サーバ装置２００側の記憶部２０６側に備えられていてもよく、また、ネットワーク３００を介して通信可能に接続されたデータベースサーバとして外部装置の記憶部側に備えられていてもよい。
【００９６】
以上で、第２の実施形態におけるＢＩＭシステムの構成の一例の説明を終える。
【００９７】
［第２の実施形態におけるＢＩＭシステムの処理］
次に、このように構成された第２の実施形態におけるＢＩＭシステムの処理の一例について、以下に図１２を参照して詳細に説明する。図１２は、第２の実施形態におけるＢＩＭシステムの処理の一例を示すフローチャートである。
【００９８】
図１２に示すように、端末装置１００の制御部１０２は、利用者により入力される作成条件をサーバ装置２００へ送信する（ステップＳＢ−１０）。
【００９９】
そして、サーバ装置２００の作成条件受信部２０２ａは、ステップＳＢ−１０にて作成条件送信部１０２ａの処理により送信される作成条件を受信する（ステップＳＢ−２０）。
【０１００】
そして、サーバ装置２００の昇降機モデリング部２０２ｂは、ステップＳＢ−２０にて作成条件受信部２０２ａの処理により受信された作成条件に対応する昇降機のＢＩＭパーツを、パーツ情報データベース２０６ａに記憶されたパーツ情報を用いて作成する（ステップＳＢ−３０）。例えば、昇降機モデリング部２０２ｂは、図３に示すようなエレベータのＢＩＭパーツを作成する。ここで、ステップＳＢ−３０において、昇降機モデリング部２０２ｂは、作成条件を満たす複数の昇降機のＢＩＭパーツを作成してもよい。
【０１０１】
そして、サーバ装置２００の統合モデリング部２０２ｄは、ステップＳＢ−３０にて昇降機モデリング部２０２ｂの処理により作成された昇降機のＢＩＭパーツを、ＢＩＭモデルファイル２０６ｂに記憶された建築物のＢＩＭモデルに組み込んだ統合ＢＩＭモデルを作成する（ステップＳＢ−４０）。例えば、統合モデリング部２０２ｄは、図４に示すような、エレベータのＢＩＭパーツが建築物のＢＩＭモデルに組み込まれた状態の昇降機組込建築物に対応する統合ＢＩＭモデルを作成する。ここで、統合モデリング部２０２ｄは、ステップＳＢ−３０にて昇降機モデリング部２０２ｂにより作成された昇降機のＢＩＭパーツが複数ある場合には、複数の統合ＢＩＭモデルを作成してもよいし、利用者の入力に応じて選択された１つのＢＩＭパーツに対応する統合ＢＩＭモデルを作成してもよい。
【０１０２】
そして、サーバ装置２００の画面生成部２０２ｅは、ステップＳＢ−４０にて統合モデリング部２０２ｄの処理により作成された統合ＢＩＭモデルを含むレイアウト画面を生成する（ステップＳＢ−５０）。例えば、画面生成部２０２ｅは、ステップＳＢ−４０にて統合モデリング部２０２ｄの処理により作成された統合ＢＩＭモデルに基づいて、上述した図５に示すような、統合ＢＩＭモデル内のＢＩＭパーツが表す昇降機の外観を含むレイアウト画面を生成する。
【０１０３】
そして、サーバ装置２００の画面表示制御部２０２ｆは、ステップＳＢ−５０にて画面生成部２０２ｅの処理により生成されたレイアウト画面を含むＢＩＭ情報を生成する（ステップＳＢ−６０）。
【０１０４】
そして、サーバ装置２００の画面表示制御部２０２ｆは、ステップＳＢ−６０にて生成したＢＩＭ情報を端末装置１００へ送信して（ステップＳＢ−７０）、端末装置１００側で受信される（ステップＳＢ−８０）当該ＢＩＭ情報に基づいてレイアウト画面が表示部１１４に表示されるように制御する（ステップＳＢ−９０）。例えば、画面表示制御部２０２ｆは、上述した図５に示すような統合ＢＩＭモデル内のＢＩＭパーツが表す昇降機の外観を含むレイアウト画面を表示部１１４に表示させる。
【０１０５】
そして、端末装置１００の制御部１０２は、ＢＩＭパーツの動作解析、または、昇降路内の温度環境のシミュレーションを行う際に参照される、解析条件の入力があるか否かを判定する（ステップＳＢ−１００）。ここで、解析条件は、例えば入力部１１８を介して利用者により入力されてもよいし、予め記憶部１０６に記憶されたものを読み込んでもよい。
【０１０６】
そして、端末装置１００の制御部１０２は、ステップＳＢ−１００にて解析条件の入力があると判定した場合（ステップＳＢ−１００：Ｙｅｓ）、当該解析条件をサーバ装置２００へ送信する。その後、ステップＳＢ−１１０の処理へ移行する。一方、制御部１０２は、ステップＳＢ−１００にて解析条件の入力がないと判定した場合（ステップＳＢ−１００：Ｎｏ）、その後、ステップＳＢ−１６０の処理へ移行する。
【０１０７】
そして、サーバ装置２００の制御部２０２は、ステップＳＢ−１００にて解析条件の入力があると判定した場合に端末装置１００から送信された解析条件を受信したか否かを判定する（ステップＳＢ−１１０）。ここで、制御部２０２は、ステップＳＢ−１１０にて解析条件の受信ありと判定した場合（ステップＳＢ−１１０：Ｙｅｓ）、その後、ステップＳＢ−１２０の処理へ移行する。一方、制御部２０２は、ステップＳＢ−１１０にて解析条件の受信なしと判定した場合（ステップＳＢ−１１０：Ｎｏ）、その後、この処理を終了する。
【０１０８】
そして、サーバ装置２００の動作解析部２０２ｇは、ステップＳＢ−１１０にて制御部２０２の処理により解析条件の受信ありと判定された場合（ステップＳＢ−１１０：Ｙｅｓ）、受信された解析条件にＢＩＭパーツの動作解析のための動作解析条件が指定されていれば、当該条件に従って、ステップＳＢ―９０にて画面表示制御部２０２ｆの処理により表示部１１４に表示させたレイアウト画面上に含まれる昇降機のＢＩＭパーツの動作をシミュレーション（動作解析）する（ステップＳＢ−１２０）。動作解析部２０２ｇは、昇降機のＢＩＭパーツの動作をシミュレーションした結果を、端末装置１００の表示部１１４に表示させるように、動作解析データを画面表示制御部２０２ｆへ出力する。その後、画面表示制御部２０２ｆは、ステップＳＢ−６０の処理により動作解析データを含むＢＩＭ情報を生成して、ステップＳＢ−７０〜９０の処理により当該ＢＩＭ情報に基づいて昇降機のＢＩＭパーツの動作をシミュレーションした結果を端末装置１００のレイアウト画面上に表示させるように制御する。
【０１０９】
そして、サーバ装置２００の環境解析部２０２ｈは、受信された解析条件に昇降機の昇降路内の温度環境をシミュレーションするための環境解析条件が指定されていれば、当該条件に従って、ステップＳＢ−９０にて画面表示制御部２０２ｆの処理により表示されたレイアウト画面に含まれる昇降機の昇降路内の温度環境をシミュレーションする（ステップＳＢ−１３０）。具体的には、環境解析部２０２ｈは、図６および図７に例示したように、環境情報ファイル２０６ｃに記憶された環境情報に基づいて、オブジェクト情報データベース２０６ｄに記憶されたオブジェクト情報が表す環境オブジェクトを統合ＢＩＭモデル内で変化させながら、図８に例示したように、統合ＢＩＭモデルに組み込まれたＢＩＭパーツに対応する昇降機の昇降路内の温度環境をシミュレーションする。環境解析部２０２ｈは、昇降機の昇降路内の温度環境をシミュレーションした結果を、端末装置１００の表示部１１４に表示させるように、環境解析データを画面表示制御部２０２ｆへ出力する。その後、画面表示制御部２０２ｆは、ステップＳＢ−６０の処理により環境解析データを含むＢＩＭ情報を生成して、ステップＳＢ−７０〜９０の処理により当該ＢＩＭ情報に基づいて昇降機の昇降路内の温度環境をシミュレーションした結果を端末装置１００のレイアウト画面上に表示させるように制御する。なお、ステップＳＢ−１３０において環境解析部２０２ｈにおいて実行される、昇降機の昇降路内の温度環境をシミュレーションする処理の詳細については、上述の図１０に示した内容と同様であるため、説明を省略する。
【０１１０】
ここで、ステップＳＢ−１３０において、環境解析部２０２ｈは、ステップＳＢ−９０にて画面表示制御部２０２ｆの処理により表示されたレイアウト画面上で、ステップＳＢ−１２０にて動作解析部２０２ｇの処理により昇降機のＢＩＭパーツの動作をシミュレーションしている状態で、環境情報ファイル２０６ｃに記憶された環境情報に基づいて、オブジェクト情報データベース２０６ｄに記憶されたオブジェクト情報が表す環境オブジェクトを統合ＢＩＭモデル内で変化させながら、統合ＢＩＭモデルに組み込まれたＢＩＭパーツに対応する昇降機の昇降路内の温度環境をシミュレーションしてもよい。
【０１１１】
そして、ステップＳＢ−１３０の処理の後、サーバ装置２００の判定部２０２ｍは、ステップＳＢ−１３０にて環境解析部２０２ｈの処理によりシミュレーションされた昇降路内の温度環境が、昇降機が正常に動作するための温度条件を満たすか否かを判定する（ステップＳＢ−１４０）。
【０１１２】
そして、サーバ装置２００の警告部２０２ｎは、ステップＳＢ−１４０にて判定部２０２ｍの処理により、昇降機が正常に動作するための温度条件を満たさないと判定された場合（ステップＳＢ−１４０：Ｎｏ）、端末装置１００の表示部１１４に表示させるための警告情報を生成する（ステップＳＢ−１５０）。例えば、ステップＳＢ−１５０において、警告部２０２ｎは、昇降機を構成する部材が保証温度範囲外で使用される可能性がある旨を示す警告情報を生成する。ここで、警告部２０２ｎにより生成される警告情報は、音声情報を含んでいてもよい。その後、画面表示制御部２０２ｆは、ステップＳＢ−６０の処理により警告情報を含むＢＩＭ情報を生成して、ステップＳＢ−７０〜９０の処理により当該ＢＩＭ情報に基づいて昇降機を構成する部材が保証温度範囲外で使用される可能性がある旨を示す警告情報を端末装置１００のレイアウト画面上に表示させるように制御する。このとき、画面表示制御部２０２ｆは、警告情報に音声情報が含まれる場合、音声出力部１１６を介して警告情報を音声で出力させるように制御してもよい。
【０１１３】
一方、ステップＳＢ−１４０にて判定部２０２ｍの処理により、昇降機が正常に動作するための温度条件を満たすと判定された場合（ステップＳＢ−１４０：Ｙｅｓ）は、上述のステップＳＢ−１５０の処理を実行せずに（すなわち、警告情報の生成処理を実行せずに）、ステップＳＢ−６０の処理へ移行する。
【０１１４】
ここで、ステップＳＢ−１００に戻り、制御部１０２の処理により解析条件の入力がないと判定された場合（ステップＳＢ−１００：Ｎｏ）は、上述のステップＳＢ−１１０〜ＳＢ−１５０の処理を実行せずに（すなわち、ＢＩＭパーツの動作解析、昇降路内の温度環境のシミュレーション、所定の温度条件を満たすかの判定、警告情報の生成等の処理を実行せずに）、ステップＳＢ−１６０の処理へ移行する。
【０１１５】
そして、端末装置１００の制御部１０２は、利用者の入力に応じて変更があるか否かを判定する（ステップＳＢ−１６０）。
【０１１６】
端末装置１００の制御部１０２は、ステップＳＢ−１６０での処理により変更があると判定した場合（ステップＳＢ−１６０：Ｙｅｓ）、処理をステップＳＢ−１０に移行させる。端末装置１００の制御部１０２は、ステップＳＢ−１６０にて制御部１０２の処理により変更がないと判定された場合（ステップＳＢ−１６０：Ｎｏ）、この処理を終了する。
【０１１７】
以上で、第２の実施形態におけるＢＩＭシステムの処理の一例の説明を終える。
【０１１８】
なお、第２の実施形態にかかるＢＩＭシステム（サーバ主導型）においても、上述の第１の実施形態にかかるＢＩＭシステム（機能分散型）と同様の効果を奏する。
【０１１９】
［第３の実施形態］
続いて、第３の実施形態について、図１３および図１４を参照して以下に説明する。なお、以下の第３の実施形態（スタンドアロン型）の説明では、上述した実施形態と共通する構成、作用、効果については、重複した説明はできるだけ省略する。ここで、図１３は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【０１２０】
なお、第３の実施形態のＢＩＭシステムにおいては、全ての機能をＢＩＭ装置４００に集約し、ＢＩＭ装置４００は、利用者により入力される作成条件に対応するＢＩＭパーツを、記憶部４０６に記憶されたパーツ情報を用いて作成する機能を有する。そして、ＢＩＭ装置４００は、作成されたＢＩＭパーツを記憶部４０６に記憶されたＢＩＭモデルに組み込んだ統合ＢＩＭモデルを作成する機能を有する。そして、ＢＩＭ装置４００は、作成された統合ＢＩＭモデルを含むレイアウト画面を生成し、生成されたレイアウト画面を表示部４１４に表示させる等の機能を有する。そして、ＢＩＭ装置４００は、表示部４１４に表示されたレイアウト画面上で統合ＢＩＭモデルの動作をシミュレーションする機能（動作解析機能）や環境をシミュレーションする機能（環境解析機能）等を有する。更に、ＢＩＭ装置４００は、レイアウト画面上で統合ＢＩＭモデルに組み込まれたＢＩＭパーツに対応する昇降機の昇降路内の温度環境をシミュレーションする機能等を有する。このとき、ＢＩＭ装置４００は、シミュレーションされた昇降路内の前記温度環境が、昇降機が正常に動作するための温度条件を満たさないと判定された場合、表示部４１４に警告情報を表示させる。このように、第３の実施形態は、ＢＩＭ装置４００がスタンドアロン型に構成され単独で処理を行う点がその他の実施形態と異なる。
【０１２１】
［第３の実施形態におけるＢＩＭシステムの構成］
まず、第３の実施形態におけるＢＩＭシステムの構成の一例について、図１３を参照して以下に説明する。
【０１２２】
図１３に示すように、第３の実施形態のＢＩＭ装置４００は、出力部（表示部４１４及び音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１２３】
図１３において、入出力制御インターフェース部４０８、表示部４１４、音声出力部４１６、及び、入力部４１８の各機能は、第１の実施形態と実質的に同様であるため説明を省略する。また、記憶部４０６の各部（パーツ情報データベース４０６ａ、ＢＩＭモデルデータベース４０６ｂ、環境情報データベース４０６ｃ、オブジェクト情報データベース４０６ｄ等）についても、サーバ装置２００ではなくＢＩＭ装置４００に備えられている点を除き、各機能が第１の実施形態と実質的に同様であるため説明を省略する。
【０１２４】
また、制御部４０２の各部については、本実施形態のＢＩＭ装置４００がスタンドアロン型であり、制御部４０２が各送信部を備えていない点を除き、各機能は第１の実施形態と基本的に同様である。
【０１２５】
また、図１３において、制御部４０２は、ＯＳ等の制御プログラムや、各種の処理手順等を規定したプログラム、及び、所要データを格納するための内部メモリを有する。そして、制御部４０２は、これらのプログラム等により、種々の処理を実行するための情報処理を行う。制御部４０２は、機能概念的に、作成条件設定部４０２ａ、昇降機モデリング部４０２ｂ、統合モデリング部４０２ｃ、画面生成部４０２ｄ、画面表示部４０２ｅ、動作解析部４０２ｆ、環境解析部４０２ｇ、判定部４０２ｋ、警告部４０２ｍ、変更部４０２ｎを備える。ここで、環境解析部４０２ｇは、昇降路内温度上昇値算出部４０２ｈ、昇降路内最大温度算出部４０２ｉ、部材温度最大値算出部４０２ｊを更に備える。
【０１２６】
なお、第３の実施形態における制御部４０２のうち、画面生成部４０２ｄ、画面表示部４０２ｅ、動作解析部４０２ｆ、環境解析部４０２ｇ、判定部４０２ｋ、警告部４０２ｍ、変更部４０２ｎについては、上述の第１の実施形態において説明した対応する各部の機能と実質的に同様であるため、これらの説明を省略する。
【０１２７】
このうち、作成条件設定部４０２ａは、利用者により入力される作成条件を設定する作成条件設定手段である。ここで、作成条件は、利用者により入力部４１８を介して入力されたものであってもよいし、予め作成条件が記憶された外部記憶装置（図示せず）から読み込まれたものであってもよい。
【０１２８】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。昇降機モデリング部４０２ｂは、例えば、図３に示すようなエレベータの３次元のＢＩＭパーツを作成する。ここで、昇降機モデリング部４０２ｂは、作成した昇降機のＢＩＭパーツを記憶部４０６に格納して、ＢＩＭパーツデータベース（図示せず）を構築してもよい。
【０１２９】
また、統合モデリング部４０２ｃは、昇降機モデリング部４０２ｂにより作成された昇降機のＢＩＭパーツを、ＢＩＭモデルデータベース４０６ｂに記憶された建築物のＢＩＭモデルに組み込んだ統合ＢＩＭモデルを作成する統合モデリング手段である。ここで、統合モデリング部４０２ｃは、作成した統合ＢＩＭモデルを記憶部４０６に格納して、統合ＢＩＭモデルデータベース（図示せず）を構築してもよい。
【０１３０】
以上で、第３の実施形態におけるＢＩＭシステムの構成の一例の説明を終える。
【０１３１】
［第３の実施形態におけるＢＩＭシステムの処理］
次に、このように構成された第３の実施形態におけるＢＩＭシステムの処理の一例について、以下に図１４を参照して詳細に説明する。図１４は、第３の実施形態におけるＢＩＭシステムの処理の一例を示すフローチャートである。
【０１３２】
図１４に示すように、まず、作成条件設定部４０２ａは、利用者により入力される作成条件を設定する（ステップＳＣ−１０）。
【０１３３】
そして、昇降機モデリング部４０２ｂは、ステップＳＣ−１０にて作成条件設定部４０２ａの処理により設定された作成条件に対応する昇降機のＢＩＭパーツを、パーツ情報データベース４０６ａに記憶されたパーツ情報を用いて作成する（ステップＳＣ−２０）。例えば、昇降機モデリング部４０２ｂは、上述の図３に示すようなエレベータのＢＩＭパーツを作成する。ここで、ステップＳＣ−２０において、昇降機モデリング部４０２ｂは、作成条件を満たす複数の昇降機のＢＩＭパーツを作成してもよい。
【０１３４】
そして、統合モデリング部４０２ｃは、ステップＳＣ−２０にて昇降機モデリング部４０２ｂの処理により作成された昇降機のＢＩＭパーツを、ＢＩＭモデルデータベース４０６ｂに記憶された建築物のＢＩＭモデルに組み込んだ統合ＢＩＭモデルを作成する（ステップＳＣ−３０）。例えば、統合モデリング部４０２ｃは、図４に示すような、エレベータのＢＩＭパーツが建築物のＢＩＭモデルに組み込んだ統合ＢＩＭモデルを作成する。ここで、統合モデリング部４０２ｃは、ステップＳＣ−２０にて昇降機モデリング部４０２ｂの処理により作成された昇降機のＢＩＭパーツが複数ある場合には、複数の統合ＢＩＭモデルを作成してもよいし、利用者の入力に応じて選択された１つのＢＩＭパーツに対応する統合ＢＩＭモデルを作成してもよい。
【０１３５】
そして、画面生成部４０２ｄは、ステップＳＣ−３０にて統合モデリング部４０２ｃの処理により作成された統合ＢＩＭモデルに基づいて、レイアウト画面を生成する（ステップＳＣ−４０）。例えば、画面生成部４０２ｄは、ステップＳＣ−３０にて統合モデリング部４０２ｃの処理により作成された統合ＢＩＭモデルに基づいて、統合ＢＩＭモデル内のＢＩＭパーツが表す昇降機の外観を含むレイアウト画面を生成する。
【０１３６】
そして、画面表示部４０２ｅは、ステップＳＣ−４０にて画面生成部４０２ｄの処理により生成されたレイアウト画面を表示部４１４に表示させる（ステップＳＣ−５０）。例えば、画面表示部４０２ｅは、上述した図５に示すようなレイアウト画面を表示部４１４に表示させる。
【０１３７】
そして、制御部４０２は、ＢＩＭパーツの動作解析、または、昇降路内の温度環境のシミュレーションを行う際に参照される、解析条件の入力があるか否かを判定する（ステップＳＣ−６０）。ここで、解析条件は、例えば入力部４１８を介して利用者により入力されてもよいし、予め記憶部４０６に記憶されたものを読み込んでもよい。
【０１３８】
そして、動作解析部４０２ｆは、ステップＳＣ−６０にて制御部４０２の処理により解析条件の入力があると判定された場合（ステップＳＣ−６０：Ｙｅｓ）、入力された解析条件にＢＩＭパーツの動作解析のための動作解析条件が指定されていれば、当該条件に従って、ステップＳＣ−５０にて画面表示部４０２ｅの処理により表示されたレイアウト画面上で昇降機のＢＩＭパーツの動作をシミュレーション（動作解析）する（ステップＳＣ−７０）。
【０１３９】
そして、環境解析部４０２ｇは、入力された解析条件に昇降機の昇降路内の温度環境をシミュレーションするための環境解析条件が指定されていれば、当該条件に従って、ステップＳＣ−５０にて画面表示部４０２ｅの処理により表示されたレイアウト画面上で、図６および図７に例示したように、環境情報データベース４０６ｃに記憶された環境情報に基づいて、オブジェクト情報データベース４０６ｄに記憶されたオブジェクト情報が表す環境オブジェクトを統合ＢＩＭモデル内で変化させながら、図８に例示したように、統合ＢＩＭモデルに組み込まれたＢＩＭパーツに対応する昇降機の昇降路内の温度環境をシミュレーションする（ステップＳＣ−８０）。なお、ステップＳＣ−８０において環境解析部４０２ｇにおいて実行される、昇降機の昇降路内の温度環境をシミュレーションする処理の詳細については、上述の図１０に示した内容と同様であるため、説明を省略する。
【０１４０】
ここで、ステップＳＣ−８０において、環境解析部４０２ｇは、ステップＳＣ−５０にて画面表示部４０２ｅの処理により表示されたレイアウト画面上で、ステップＳＣ−７０にて動作解析部４０２ｆの処理により昇降機のＢＩＭパーツの動作をシミュレーションしている状態で、環境情報データベース４０６ｃに記憶された環境情報に基づいて、オブジェクト情報データベース４０６ｄに記憶されたオブジェクト情報が表す環境オブジェクトを統合ＢＩＭモデル内で変化させながら、統合ＢＩＭモデルに組み込まれたＢＩＭパーツに対応する昇降機の昇降路内の温度環境をシミュレーションしてもよい。
【０１４１】
そして、ステップＳＣ−８０の処理の後、判定部４０２ｋは、ステップＳＣ−８０にて環境解析部４０２ｇの処理によりシミュレーションされた昇降路内の温度環境が、昇降機が正常に動作するための温度条件を満たすか否かを判定する（ステップＳＣ−９０）。
【０１４２】
そして、警告部４０２ｍは、ステップＳＣ−９０にて判定部４０２ｋの処理により、昇降機が正常に動作するための温度条件を満たさないと判定された場合（ステップＳＣ−９０：Ｎｏ）、表示部４１４に警告情報を表示させる（ステップＳＣ−１００）。例えば、ステップＳＣ−１００において、警告部４０２ｍは、昇降機を構成する部材が保証温度範囲外で使用される可能性がある旨を示す警告情報を表示部４１４に表示させる。ここで、警告部４０２ｍは、警告情報に音声情報が含まれる場合、音声出力部４１６を介して警告情報を音声で出力してもよい。その後、ステップＳＣ−１１０の処理へ移行する。
【０１４３】
一方、ステップＳＣ−９０にて判定部４０２ｋの処理により、昇降機が正常に動作するための温度条件を満たすと判定された場合（ステップＳＣ−９０：Ｙｅｓ）は、上述のステップＳＣ−１００の処理を実行せずに（すなわち、警告情報の表示処理を実行せずに）、ステップＳＣ−１１０の処理へ移行する。
【０１４４】
ここで、ステップＳＣ−６０に戻り、制御部４０２の処理により解析条件の入力がないと判定された場合（ステップＳＣ−６０：Ｎｏ）は、上述のステップＳＣ−７０〜ＳＣ−１００の処理を実行せずに（すなわち、ＢＩＭパーツの動作解析、昇降路内の温度環境のシミュレーション、所定の温度条件を満たすかの判定、警告情報の表示等の処理を実行せずに）、ステップＳＣ−１１０の処理へ移行する。
【０１４５】
そして、変更部４０２ｎは、利用者の入力に応じて変更があるか否かを判定する（ステップＳＣ−１１０）。
【０１４６】
変更部４０２ｎは、ステップＳＣ−１１０での処理により変更があると判定した場合（ステップＳＣ−１１０：Ｙｅｓ）、処理をステップＳＣ−１０に移行させる。制御部４０２は、ステップＳＣ−１１０にて変更部４０２ｎの処理により変更がないと判定された場合（ステップＳＣ−１１０：Ｎｏ）、この処理を終了する。
【０１４７】
以上で、第３の実施形態におけるＢＩＭシステムの処理の一例の説明を終える。
【０１４８】
なお、第３の実施形態にかかるＢＩＭシステム（スタンドアロン型）においても、上述の第１の実施形態にかかるＢＩＭシステム（機能分散型）と同様の効果を奏する。
【０１４９】
このように、上述した第１〜第３の実施形態によれば、利用者により入力される作成条件に対応するＢＩＭパーツを、パーツ情報を用いて作成し、作成されたＢＩＭパーツをＢＩＭモデルに組み込んだ統合ＢＩＭモデルを作成する。そして、第１〜第３の実施形態によれば、作成された統合ＢＩＭモデルを含むレイアウト画面を生成し、生成されたレイアウト画面を表示させる。よって、第１〜第３の実施形態によれば、利用者が昇降機の設備計画を提案する際、建築物に昇降機を組み込んだ状態を視覚的に分かりやすく表示することができる。また、利用者は、昇降機を設置する建築物の設計段階から施工、竣工後、リニューアル（改修）時等の全体を通したシミュレーションを行うことができる。これにより、利用者は、昇降機を設置する建築物の設計において、全体的な管理及び確認を行えるので、客先の要望をより良く反映した提案が容易となる。その結果、本実施形態によれば、利用者は、打合せ時間の短縮ができ、不具合発生率の低減もでき、更に、再製作時等のコストを抑制することができる。
【０１５０】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１５１】
例えば、上述の実施形態は、昇降機としてエレベータを例について説明したが、エスカレータ、動く歩道等の乗客コンベアについても同様に適用できる。
【０１５２】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１５３】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１５４】
また、端末装置１００、サーバ装置２００、及び、ＢＩＭ装置４００に関して、図示の各構成要素は機能概念的なものであり、必ずしも物理的に図示の如く構成されていることを要しない。
【０１５５】
例えば、端末装置１００、サーバ装置２００、及び、ＢＩＭ装置４００の各装置が備える処理機能、特に制御部１０２、制御部２０２、及び、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）及び当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、及び、ＢＩＭ装置４００に機械的に読み取られる。すなわち、ＲＯＭまたはＨＤＤなどの記憶部１０６、記憶部２０６、及び、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１５６】
また、このコンピュータプログラムは、端末装置１００、サーバ装置２００、及び、ＢＩＭ装置４００に対して任意のネットワーク３００を介して接続されたアプリケーションプログラムサーバに記憶されていてもよく、必要に応じてその全部または一部をダウンロードすることも可能である。
【０１５７】
また、プログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、及び、Ｂｌｕ−ｒａｙ  Ｄｉｓｃ等の任意の「可搬用の物理媒体」を含むものとする。
【０１５８】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１５９】
記憶部１０６、記憶部２０６、及び、記憶部４０６に格納される各種のデータベース等（ＢＩＭモデルデータベース１０６ａ、環境情報データベース１０６ｂ、オブジェクト情報データベース１０６ｃ、パーツ情報データベース２０６ａ、ＢＩＭモデルファイル２０６ｂ、環境情報ファイル２０６ｃ、オブジェクト情報データベース２０６ｄ、パーツ情報データベース４０６ａ、ＢＩＭモデルデータベース４０６ｂ、環境情報データベース４０６ｃ、オブジェクト情報データベース４０６ｄ）は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【０１６０】
また、端末装置１００、サーバ装置２００、及び、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、及び、ＢＩＭ装置４００は、該情報処理装置に本実施形態の方法を実現させるソフトウェア（プログラム、データ等を含む）を実装することにより実現してもよい。
【０１６１】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１６２】
以上で説明した実施形態、変形例に係るＢＩＭシステム、サーバ装置、端末装置、方法及びプログラムによれば、昇降機の設備計画を提案する際、建築物に昇降機を組み込んだ状態を視覚的に分かりやすく表示することができる。
【０１６３】
［付記］
実施形態のＢＩＭシステムは、制御部と記憶部とを少なくとも備えたサーバ装置、および、制御部と記憶部と表示部とを少なくとも備えた端末装置、を通信可能に接続したＢＩＭシステムであって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記記憶部は、前記ＢＩＭモデルを記憶するＢＩＭモデル記憶手段と、前記ＢＩＭモデル内外の環境に影響を及ぼす環境情報であって、環境オブジェクトに関するオブジェクト情報を少なくとも含む環境情報を記憶する環境情報記憶手段と、を備え、前記端末装置の前記制御部は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、前記画面表示手段により表示された前記レイアウト画面上で、前記環境情報記憶手段に記憶された前記環境情報に基づいて、前記オブジェクト情報が表す前記環境オブジェクトを前記統合ＢＩＭモデル内で変化させながら、前記統合ＢＩＭモデルに組み込まれた前記ＢＩＭパーツに対応する前記昇降機の昇降路内の温度環境をシミュレーションする環境解析手段と、前記環境解析手段によりシミュレーションされた前記昇降路内の前記温度環境が、前記昇降機が正常に動作するための温度条件を満たすか否かを判定する判定手段と、前記判定手段により前記温度条件を満たさないと判定された場合、前記表示部に警告情報を表示させる警告手段と、を備えたことを特徴とする。
【０１６４】
実施形態のサーバ装置は、表示部を少なくとも備えた端末装置に通信可能に接続された、制御部と記憶部とを少なくとも備えたサーバ装置であって、前記記憶部は、建築物のＢＩＭモデルに組込可能な昇降機のＢＩＭパーツを作成するためのパーツ情報を記憶するパーツ情報記憶手段、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置において、前記情報提供手段により前記サーバ装置から送信された前記ＢＩＭパーツを前記ＢＩＭモデルに組み込んだ統合ＢＩＭモデルが作成され、前記統合ＢＩＭモデルを含むレイアウト画面が生成されて前記表示部に表示され、前記レイアウト画面上で、前記ＢＩＭモデル内外の環境に影響を及ぼす環境情報に基づいて、前記統合ＢＩＭモデルに組み込まれた前記ＢＩＭパーツに対応する前記昇降機の昇降路内の温度環境がシミュレーションされ、シミュレーションされた前記昇降路内の前記温度環境が、前記昇降機が正常に動作するための温度条件を満たさないと判定された場合、前記表示部に警告情報が表示されることを特徴とする。
【０１６５】
実施形態の端末装置は、サーバ装置に通信可能に接続された、制御部と記憶部と表示部とを少なくとも備えた端末装置であって、前記記憶部は、建築物のＢＩＭモデルを記憶するＢＩＭモデル記憶手段と、前記ＢＩＭモデル内外の環境に影響を及ぼす環境情報を記憶する環境情報記憶手段と、を備え、前記制御部は、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、前記画面表示手段により表示された前記レイアウト画面上で、前記環境情報記憶手段に記憶された前記環境情報に基づいて、前記統合ＢＩＭモデルに組み込まれた前記ＢＩＭパーツに対応する前記昇降機の昇降路内の温度環境をシミュレーションする環境解析手段と、前記環境解析手段によりシミュレーションされた前記昇降路内の前記温度環境が、前記昇降機が正常に動作するための温度条件を満たすか否かを判定する判定手段と、前記判定手段により前記温度条件を満たさないと判定された場合、前記表示部に警告情報を表示させる警告手段と、を備えたことを特徴とする。
【０１６６】
実施形態の方法は、制御部と記憶部と表示部を少なくとも備えたＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に基づいて、前記統合ＢＩＭモデルに組み込まれた前記ＢＩＭパーツに対応する前記昇降機の昇降路内の温度環境をシミュレーションする環境解析ステップと、前記環境解析ステップにてシミュレーションされた前記昇降路内の前記温度環境が、前記昇降機が正常に動作するための温度条件を満たすか否かを判定する判定ステップと、前記判定ステップにて前記温度条件を満たさないと判定された場合、前記表示部に警告情報を表示させる警告ステップと、を含むことを特徴とする。
【０１６７】
実施形態の方法は、表示部を少なくとも備えた端末装置に通信可能に接続された、制御部と記憶部とを少なくとも備えたサーバ装置において実行される方法であって、前記記憶部は、建築物のＢＩＭモデルに組込可能な昇降機のＢＩＭパーツを作成するためのパーツ情報を記憶するパーツ情報記憶手段、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を含み、前記端末装置において、前記情報提供ステップにて前記サーバ装置から送信された前記ＢＩＭパーツを前記ＢＩＭモデルに組み込んだ統合ＢＩＭモデルが作成され、前記統合ＢＩＭモデルを含むレイアウト画面が生成されて前記表示部に表示され、前記レイアウト画面上で、前記ＢＩＭモデル内外の環境に影響を及ぼす環境情報に基づいて、前記統合ＢＩＭモデルに組み込まれた前記ＢＩＭパーツに対応する前記昇降機の昇降路内の温度環境がシミュレーションされ、シミュレーションされた前記昇降路内の前記温度環境が、前記昇降機が正常に動作するための温度条件を満たさないと判定された場合、前記表示部に警告情報が表示されることを特徴とする。
【０１６８】
実施形態の方法は、サーバ装置に通信可能に接続された、制御部と記憶部と表示部とを少なくとも備えた端末装置において実行される方法であって、前記記憶部は、建築物のＢＩＭモデルを記憶するＢＩＭモデル記憶手段と、前記ＢＩＭモデル内外の環境に影響を及ぼす環境情報を記憶する環境情報記憶手段と、を備え、前記制御部において実行される、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に基づいて、前記統合ＢＩＭモデルに組み込まれた前記ＢＩＭパーツに対応する前記昇降機の昇降路内の温度環境をシミュレーションする環境解析ステップと、前記環境解析ステップにてシミュレーションされた前記昇降路内の前記温度環境が、前記昇降機が正常に動作するための温度条件を満たすか否かを判定する判定ステップと、前記判定ステップにて前記温度条件を満たさないと判定された場合、前記表示部に警告情報を表示させる警告ステップと、を含むことを特徴とする。
【０１６９】
実施形態のプログラムは、制御部と記憶部と表示部を少なくとも備えたＢＩＭシステムに実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部において、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に基づいて、前記統合ＢＩＭモデルに組み込まれた前記ＢＩＭパーツに対応する前記昇降機の昇降路内の温度環境をシミュレーションする環境解析ステップと、前記環境解析ステップにてシミュレーションされた前記昇降路内の前記温度環境が、前記昇降機が正常に動作するための温度条件を満たすか否かを判定する判定ステップと、前記判定ステップにて前記温度条件を満たさないと判定された場合、前記表示部に警告情報を表示させる警告ステップと、を実行させることを特徴とする。
【０１７０】
実施形態のプログラムは、表示部を少なくとも備えた端末装置に通信可能に接続された、制御部と記憶部とを少なくとも備えたサーバ装置に実行させるためのプログラムであって、前記記憶部は、建築物のＢＩＭモデルに組込可能な昇降機のＢＩＭパーツを作成するためのパーツ情報を記憶するパーツ情報記憶手段、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を含み、前記端末装置において、前記情報提供ステップにて前記サーバ装置から送信された前記ＢＩＭパーツを前記ＢＩＭモデルに組み込んだ統合ＢＩＭモデルが作成され、前記統合ＢＩＭモデルを含むレイアウト画面が生成されて前記表示部に表示され、前記レイアウト画面上で、前記ＢＩＭモデル内外の環境に影響を及ぼす環境情報に基づいて、前記統合ＢＩＭモデルに組み込まれた前記ＢＩＭパーツに対応する前記昇降機の昇降路内の温度環境がシミュレーションされ、シミュレーションされた前記昇降路内の前記温度環境が、前記昇降機が正常に動作するための温度条件を満たさないと判定された場合、前記表示部に警告情報が表示されることを特徴とする。
【０１７１】
実施形態のプログラムは、サーバ装置に通信可能に接続された、制御部と記憶部と表示部とを少なくとも備えた端末装置に実行させるためのプログラムであって、前記記憶部は、建築物のＢＩＭモデルを記憶するＢＩＭモデル記憶手段と、前記ＢＩＭモデル内外の環境に影響を及ぼす環境情報を記憶する環境情報記憶手段と、を備え、前記制御部において、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に基づいて、前記統合ＢＩＭモデルに組み込まれた前記ＢＩＭパーツに対応する前記昇降機の昇降路内の温度環境をシミュレーションする環境解析ステップと、前記環境解析ステップにてシミュレーションされた前記昇降路内の前記温度環境が、前記昇降機が正常に動作するための温度条件を満たすか否かを判定する判定ステップと、前記判定ステップにて前記温度条件を満たさないと判定された場合、前記表示部に警告情報を表示させる警告ステップと、を実行させることを特徴とする。
【符号の説明】
【０１７２】
１００  端末装置
１０２  制御部
１０２ａ  作成条件送信部
１０２ｂ  統合モデリング部
１０２ｃ  画面生成部
１０２ｄ  画面表示部
１０２ｅ  動作解析部
１０２ｆ  環境解析部
１０２ｇ  昇降路内温度上昇値算出部
１０２ｈ  昇降路内最大温度算出部
１０２ｉ  部材温度最大値算出部
１０２ｊ  判定部
１０２ｋ  警告部
１０２ｍ  変更部
１０４  通信制御インターフェース部
１０６  記憶部
１０６ａ  ＢＩＭモデルデータベース
１０６ｂ  環境情報データベース
１０６ｃ  オブジェクト情報データベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  統合モデリング部
２０２ｅ  画面生成部
２０２ｆ  画面表示制御部
２０２ｇ  動作解析部
２０２ｈ  環境解析部
２０２ｉ  昇降路内温度上昇値算出部
２０２ｊ  昇降路内最大温度算出部
２０２ｋ  部材温度最大値算出部
２０２ｍ  判定部
２０２ｎ  警告部
２０２ｐ  変更部
２０４  通信制御インターフェース部
２０６  記憶部
２０６ａ  パーツ情報データベース
２０６ｂ  ＢＩＭモデルファイル
２０６ｃ  環境情報ファイル
２０６ｄ  オブジェクト情報データベース
３００  ネットワーク
４００  ＢＩＭ装置（ＢＩＭシステム）
４０２  制御部
４０２ａ  作成条件設定部
４０２ｂ  昇降機モデリング部
４０２ｃ  統合モデリング部
４０２ｄ  画面生成部
４０２ｅ  画面表示部
４０２ｆ  動作解析部
４０２ｇ  環境解析部
４０２ｈ  昇降路内温度上昇値算出部
４０２ｉ  昇降路内最大温度算出部
４０２ｊ  部材温度最大値算出部
４０２ｋ  判定部
４０２ｍ  警告部
４０２ｎ  変更部
４０６  記憶部
４０６ａ  パーツ情報データベース
４０６ｂ  ＢＩＭモデルデータベース
４０６ｃ  環境情報データベース
４０６ｄ  オブジェクト情報データベース
４０８  入出力制御インターフェース部
４１４  表示部
４１６  音声出力部
４１８  入力部
【要約】
【課題】昇降機の設備計画を提案する際、昇降路内の温度上昇の影響について施工前の段階で確認できるＢＩＭシステム及び方法を提供することを課題とする。
【解決手段】ＢＩＭシステムは、利用者により入力される作成条件に対応する昇降機のＢＩＭパーツを作成し、ＢＩＭパーツを建築物のＢＩＭモデルに組み込んだ統合ＢＩＭモデルを作成する。ＢＩＭシステムは、統合ＢＩＭモデルを含むレイアウト画面を生成し、レイアウト画面を表示部に表示させる。ＢＩＭシステムは、レイアウト画面上で昇降機の昇降路内の温度環境をシミュレーションする。ＢＩＭシステムは、昇降路内の温度環境が、昇降機が正常に動作するための温度条件を満たさないと判定された場合、表示部に警告情報を表示させる。
【選択図】図２【図１】
0005506003.tif 000002
【図２】
0005506003.tif 000003
【図３】
0005506003.tif 000004
【図４】
0005506003.tif 000005
【図５】
0005506003.tif 000006
【図６】
0005506003.tif 000007
【図７】
0005506003.tif 000008
【図８】
0005506003.tif 000009
【図９】
0005506003.tif 000010
【図１０】
0005506003.tif 000011
【図１１】
0005506003.tif 000012
【図１２】
0005506003.tif 000013
【図１３】
0005506003.tif 000014
【図１４】
0005506003.tif 000015